(57)【要約】  ワイヤレス通信ネットワークにおける１つまたは複数のＴＤＤコンポーネントキャリアと１つまたは複数のＦＤＤコンポーネントキャリアとを伴うマルチキャリア通信のための、方法、システム、およびデバイスが説明される。そのような説明される実施形態は、半複信デバイスのためのマルチキャリア通信のためのシステムおよび方法を対象とする。ＦＤＤ＋ＴＤＤキャリアアグリゲーションに伴うハイブリッド自動再送要求（ＨＡＲＱ）タイミングおよび／またはスケジューリングタイミングの決定のように、説明される方法、システム、およびデバイスは、マルチキャリア通信を簡単にすることができる。【選択図】図４
2016536829.tif 000002
【特許請求の範囲】
【請求項１】
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信の方法であって、
前記少なくとも１つのＦＤＤコンポーネントキャリアのダウンリンクのための第１の参照サブフレーム構成を決定することと、
前記少なくとも１つのＦＤＤコンポーネントキャリアのアップリンクのための第２の参照サブフレーム構成を決定することと、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信することと、を備え、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、方法。
【請求項２】
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定することをさらに備える、請求項１に記載の方法。
【請求項３】
前記少なくとも１つのＦＤＤコンポーネントキャリアの前記アップリンクのための前記第２の参照サブフレーム構成を決定することは、
前記第１の参照サブフレーム構成と同じである前記第２の参照サブフレーム構成を決定することを備える、請求項１に記載の方法。
【請求項４】
前記第１の参照サブフレーム構成を決定することは、
前記少なくとも１つのＴＤＤコンポーネントキャリアのサブフレーム構成を決定することと、
前記少なくとも１つのＴＤＤコンポーネントキャリアに対して決定された前記サブフレーム構成と同じである前記第１の参照サブフレーム構成を決定することと、
を備える、請求項３に記載の方法。
【請求項５】
前記少なくとも１つのＦＤＤコンポーネントキャリアの前記アップリンクのための前記第２の参照サブフレーム構成を決定することは、
前記決定された第１の参照サブフレーム構成とは異なる参照サブフレーム構成を決定することを備える、請求項１に記載の方法。
【請求項６】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項１に記載の方法。
【請求項７】
前記少なくとも１つのＦＤＤコンポーネントキャリアは少なくとも２つのＦＤＤコンポーネントキャリアを備え、
前記少なくとも１つのＦＤＤコンポーネントキャリアの前記ダウンリンクのための前記第１の参照サブフレーム構成を決定することは、前記少なくとも２つのＦＤＤコンポーネントキャリアの前記ダウンリンクのための前記第１の参照サブフレーム構成を決定することを備え、
前記少なくとも１つのＦＤＤコンポーネントキャリアの前記アップリンクのための前記第２の参照サブフレーム構成を決定することは、前記少なくとも２つのＦＤＤコンポーネントキャリアの前記アップリンクのための前記第２の参照サブフレーム構成を決定することを備える、請求項１に記載の方法。
【請求項８】
前記第１の参照サブフレーム構成の前記決定と前記第２の参照サブフレーム構成の前記決定の少なくとも１つは、前記少なくとも１つのＴＤＤコンポーネントキャリアのために決定されるサブフレーム構成に少なくとも一部基づく、請求項４に記載の方法。
【請求項９】
前記第１の参照サブフレーム構成の前記決定と前記第２の参照サブフレーム構成の前記決定の少なくとも１つは、前記デバイスの複信能力に少なくとも一部基づく、請求項１に記載の方法。
【請求項１０】
前記第１の参照サブフレーム構成において少なくとも１つの特殊サブフレームを識別することと、
前記少なくとも１つの識別された特殊サブフレームを通常のダウンリンクサブフレームとして扱うことと、
をさらに備える、請求項１に記載の方法。
【請求項１１】
前記第１の参照サブフレーム構成の一部ではない前記少なくとも１つのＦＤＤコンポーネントキャリア中の少なくとも１つのダウンリンクサブフレームを識別することと、
ＦＤＤコンポーネントキャリアからのセルフキャリアスケジューリングとＴＤＤコンポーネントキャリアからのクロスキャリアスケジューリングとのうちの１つでスケジューリングするために、前記少なくとも１つの識別されたダウンリンクサブフレームを使用することとをさらに備える、請求項１に記載の方法。
【請求項１２】
前記少なくとも１つの識別されたダウンリンクサブフレームに対する確認応答／否定確認応答（ＡＣＫ／ＮＡＫ）フィードバックを提供することをさらに備える、請求項１１に記載の方法。
【請求項１３】
前記少なくとも１つの識別されたダウンリンクサブフレームに対する前記ＡＣＫ／ＮＡＫフィードバックは、前記第１の参照サブフレーム構成の少なくとも１つのダウンリンクサブフレーム部分に対する前記ＡＣＫ／ＮＡＫフィードバックとともに、同じアップリンクサブフレームにおいて提供される、請求項１２に記載の方法。
【請求項１４】
前記第１の参照サブフレーム構成を決定することは、１つまたは複数の受信された信号に少なくとも一部基づく、請求項１に記載の方法。
【請求項１５】
前記デバイスはマルチキャリア通信のための半複信デバイスを備える、請求項９に記載の方法。
【請求項１６】
前記第１の参照サブフレーム構成または前記第２の参照サブフレーム構成のうちの少なくとも１つを決定することは、前記少なくとも１つのＴＤＤコンポーネントキャリアのサブフレーム構成に少なくとも一部基づく、請求項１に記載の方法。
【請求項１７】
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信のための装置であって、
前記少なくとも１つのＦＤＤコンポーネントキャリアのダウンリンクのための第１の参照サブフレーム構成を決定するための手段と、
前記少なくとも１つのＦＤＤコンポーネントキャリアのアップリンクのための第２の参照サブフレーム構成を決定するための手段と、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信するための手段と、を備え、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、装置。
【請求項１８】
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定するための手段をさらに備える、請求項１７に記載の装置。
【請求項１９】
前記少なくとも１つのＦＤＤコンポーネントキャリアの前記アップリンクのための前記第２の参照サブフレーム構成を決定するための前記手段は、前記第１の参照サブフレーム構成と同じである前記第２の参照サブフレーム構成を決定する、請求項１７に記載の装置。
【請求項２０】
前記第１の参照サブフレーム構成を決定するための前記手段は、前記少なくとも１つのＴＤＤコンポーネントキャリアのサブフレーム構成を決定し、前記少なくとも１つのＴＤＤコンポーネントキャリアに対して決定された前記サブフレーム構成と同じである前記第１の参照サブフレーム構成を決定する、請求項１９に記載の装置。
【請求項２１】
前記少なくとも１つのＦＤＤコンポーネントキャリアの前記アップリンクのための前記第２の参照サブフレーム構成を決定するための前記手段は、前記第１の参照サブフレーム構成とは異なる参照サブフレーム構成を決定する、請求項１７に記載の装置。
【請求項２２】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項１７に記載の装置。
【請求項２３】
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信のための装置であって、
プロセッサと、
前記プロセッサに結合されたメモリと、を備え、前記プロセッサは、
前記少なくとも１つのＦＤＤコンポーネントキャリアのダウンリンクのための第１の参照サブフレーム構成を決定し、
前記少なくとも１つのＦＤＤコンポーネントキャリアのアップリンクのための第２の参照サブフレーム構成を決定し、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信する
ように構成され、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、装置。
【請求項２４】
前記プロセッサはさらに、
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定するように構成される、請求項２３に記載の装置。
【請求項２５】
前記プロセッサはさらに、
前記第１の参照サブフレーム構成と同じである前記第２の参照サブフレーム構成を決定するように構成される、請求項２３に記載の装置。
【請求項２６】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項２３に記載の装置。
【請求項２７】
プロセッサによって実行可能な命令を記憶するための非一時的コンピュータ可読媒体であって、前記命令は、
少なくとも１つのＦＤＤコンポーネントキャリアのダウンリンクのための第１の参照サブフレーム構成を決定するための命令と、
前記少なくとも１つのＦＤＤコンポーネントキャリアのアップリンクのための第２の参照サブフレーム構成を決定するための命令と、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信するための命令と、を備え、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、非一時的コンピュータ可読媒体。
【請求項２８】
少なくとも１つのＴＤＤコンポーネントキャリアを一次的コンポーネントキャリアとして決定し、前記少なくとも１つのＦＤＤコンポーネントキャリアを二次的コンポーネントキャリアとして決定するための命令をさらに備える、請求項２７に記載の非一時的コンピュータ可読媒体。
【請求項２９】
前記少なくとも１つのＦＤＤコンポーネントキャリアの前記アップリンクのための前記第２の参照サブフレーム構成を決定するための前記命令は、
前記第１の参照サブフレーム構成と同じである前記第２の参照サブフレーム構成を決定するための命令を備える、請求項２７に記載の非一時的コンピュータ可読媒体。
【請求項３０】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項２７に記載の非一時的コンピュータ可読媒体。
【発明の詳細な説明】
【優先権の主張】
【０００１】
相互参照
本特許出願は、各々が本出願の譲受人に譲渡された、２０１４年９月２４日に出願された「Ｓｉｍｐｌｉｆｉｅｄ  ＦＤＤ−ＴＤＤ  Ｃａｒｒｉｅｒ  Ａｇｇｒｅｇａｔｉｏｎ」という表題のＣｈｅｎらによる米国特許出願第１４／４９５，６１９号、および２０１３年９月２６日に出願された「Ｓｉｍｐｌｉｆｉｅｄ  ＦＤＤ−ＴＤＤ  Ｃａｒｒｉｅｒ  Ａｇｇｒｅｇａｔｉｏｎ」という表題のＣｈｅｎらによる米国仮特許出願第６１／８８３，１７４号の優先権を主張し、これらの各々が本出願の譲受人に譲渡される。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、いくつかのモバイルデバイスの通信をサポートすることができるいくつかの基地局を含み得る。いくつかの技術において、モバイルデバイスは、アクセス端末、ユーザ機器（ＵＥ）、移動局などと呼ばれ得る。モバイルデバイスは、ダウンリンク（ＤＬ）およびアップリンク（ＵＬ）送信を介して基地局と通信し得る。ダウンリンク（または順方向リンク）は、基地局からモバイルデバイスへの通信リンクを指し、アップリンク（または逆方向リンク）は、モバイルデバイスから基地局への通信リンクを指す。
【０００４】
[0004]複数のアクセス技術が、１つまたは複数のキャリアを通じてアップリンク通信とダウンリンク通信とを提供するために、周波数分割複信（ＦＤＤ）または時分割複信（ＴＤＤ）を使用し得る。ＴＤＤ動作は、対にされたスペクトルリソースを必要とすることなく、柔軟な展開を実現する。ＴＤＤフォーマットはデータのフレームの送信を含み、各フレームは、異なるサブフレームがアップリンクサブフレームまたはダウンリンクサブフレームであり得る、いくつかの異なるサブフレームを含む。ＴＤＤを使用して動作するシステムでは、アップリンク通信とダウンリンク通信とが非対称であり得る、異なるフォーマットが使用され得る。柔軟なＴＤＤ  ＤＬ／ＵＬ構成は、対にされていないスペクトルリソースを使用するための効率的な方法を提供し、ＴＤＤ構成は、トラフィック条件（たとえば、基地局および／またはＵＥにおけるＵＬ／ＤＬ負荷）に基づいて適応的であり得る。
【０００５】
[0005]基地局とＵＥとを含むワイヤレス通信ネットワークは、キャリアアグリゲーションと呼ばれ得る複数のキャリア上での動作をサポートし得る。キャリアアグリゲーションは、複数のコンポーネントキャリアをサポートする基地局とＵＥとの間のスループットを向上させるために使用されることがあり、ＵＥは、複数の基地局と関連付けられる複数のコンポーネントキャリアを使用して通信するように構成されることがある。いくつかの例では、ＦＤＤフレーム構造とＴＤＤフレーム構造の両方を伴うキャリアアグリゲーションがサポートされ得る。
【発明の概要】
【０００６】
[0006]１つまたは複数のＴＤＤコンポーネントキャリアと１つまたは複数のＦＤＤコンポーネントキャリアとを利用するワイヤレス通信ネットワーク中のデバイスのためのマルチキャリア通信を簡単にする、方法、システム、およびデバイスが説明される。
【０００７】
[0007]ワイヤレス通信ネットワーク中のデバイスのためのマルチキャリア通信の方法が説明される。いくつかの実施形態では、少なくとも１つの時分割複信（ＴＤＤ）コンポーネントキャリアおよび少なくとも１つの周波数分割複信（ＦＤＤ）コンポーネントキャリアが関与し得る。一構成では、方法は、少なくとも１つのＦＤＤコンポーネントキャリアのダウンリンクのための第１の参照サブフレーム構成を決定することと、少なくとも１つのＦＤＤコンポーネントキャリアのアップリンクのための第２の参照サブフレーム構成を決定することとを伴い得る。さらに、方法は、決定された第１の参照サブフレーム構成および第２の参照サブフレーム構成に従って、それぞれのダウンリンク方向およびアップリンク方向に、少なくとも１つのＦＤＤコンポーネントキャリア上で通信することを伴い得る。少なくとも１つのＦＤＤコンポーネントキャリア上で通信することは、第１の参照サブフレーム構成または第２の参照サブフレーム構成に基づいて、ハイブリッド自動再送要求（ＨＡＲＱ）タイミングまたはスケジューリングタイミングの少なくとも１つを決定することを含み得る。
【０００８】
[0008]いくつかの実施形態では、方法は、少なくとも１つのＴＤＤコンポーネントキャリアを一次的コンポーネントキャリアとして決定し、少なくとも１つのＦＤＤコンポーネントキャリアを二次的コンポーネントキャリアとして決定することを伴い得る。
【０００９】
[0009]いくつかの実施形態では、方法は、第１の参照サブフレーム構成と同じである第２の参照サブフレーム構成を決定することを伴い得る。他の実施形態では、方法は、決定された第１の参照サブフレーム構成とは異なる第２の参照サブフレーム構成を決定することを伴い得る。
【００１０】
[0010]いくつかの実施形態では、方法は、少なくとも１つのＴＤＤコンポーネントキャリアのアップリンク−ダウンリンクサブフレーム構成を決定することと、少なくとも１つのＴＤＤコンポーネントキャリアに対して決定された構成と同じである第１の参照サブフレーム構成を決定することとを伴い得る。
【００１１】
[0011]いくつかの実施形態では、第１の参照サブフレーム構成と第２の参照サブフレーム構成のうちの少なくとも１つは、少なくとも１つのＦＤＤコンポーネントキャリア上での通信をスケジューリングするためにセルフキャリアスケジューリング（ｓｅｌｆ−ｃａｒｒｉｅｒ  ｓｃｈｅｄｕｌｉｎｇ）が使用されるかクロスキャリアスケジューリング（ｃｒｏｓｓ−ｃａｒｒｉｅｒ  ｓｃｈｅｄｕｌｉｎｇ）が使用されるかに基づいて決定される。
【００１２】
[0012]いくつかの実施形態では、少なくとも１つの周波数分割複信（ＦＤＤ）コンポーネントキャリアは、少なくとも２つのＦＤＤコンポーネントキャリアであり得る。そのような実施形態では、少なくとも１つのＦＤＤコンポーネントキャリアのダウンリンクのための第１の参照サブフレーム構成を決定することは、少なくとも２つのＦＤＤコンポーネントキャリアのダウンリンクのための第１の参照サブフレーム構成を決定することを伴い得る。さらに、少なくとも１つのＦＤＤコンポーネントキャリアのアップリンクのための第２の参照サブフレーム構成を決定することは、少なくとも２つのＦＤＤコンポーネントキャリアのアップリンクのための第２の参照サブフレーム構成を決定することを伴い得る。
【００１３】
[0013]いくつかの実施形態では、第１の参照サブフレーム構成の決定と第２の参照サブフレーム構成の決定のうちの少なくとも１つを決定することは、少なくとも１つのＴＤＤコンポーネントキャリアのために決定されるサブフレーム構成に少なくとも一部基づく。
【００１４】
[0014]いくつかの実施形態では、第１の参照サブフレーム構成を決定することと第２の参照サブフレーム構成を決定することとの少なくとも１つは、デバイスの複信能力（duplex capability）に少なくとも一部基づき得る。デバイスは、マルチキャリア通信のための半複信(half- duplex)デバイスを含み得る。
【００１５】
[0015]いくつかの実施形態では、方法は、第１の参照サブフレーム構成における少なくとも１つの特殊サブフレームを識別することを伴い得る。そのような実施形態では、方法はさらに、少なくとも１つの識別された特殊サブフレームを通常のダウンリンクサブフレームとして扱うことを伴い得る。代替的に、または追加で、方法はさらに、少なくとも１つの識別された特殊サブフレームを特殊サブフレームとして扱うことを伴い得る。代替的に、または追加で、方法はさらに、デバイスによるダウンリンク受信について、少なくとも１つの識別された特殊サブフレームを省略することを伴い得る。
【００１６】
[0016]いくつかの実施形態では、方法は、第２の参照サブフレーム構成における少なくとも１つの特殊サブフレームを識別することを伴い得る。そのような実施形態では、方法はさらに、少なくとも１つの識別された特殊サブフレームを通常のアップリンクサブフレームとして扱うことを伴い得る。代替的に、または追加で、方法はさらに、少なくとも１つの識別された特殊サブフレームを特殊サブフレームとして扱うことを伴い得る。代替的に、または追加で、方法はさらに、デバイスによるアップリンク送信について、少なくとも１つの識別された特殊サブフレームを省略することを伴い得る。
【００１７】
[0017]いくつかの実施形態では、方法は、第１の参照サブフレーム構成の一部ではない少なくとも１つのＦＤＤコンポーネントキャリア中の少なくとも１つのダウンリンクサブフレームを識別することを伴い得る。そのような実施形態では、方法はさらに、ＦＤＤコンポーネントキャリアからのセルフキャリアスケジューリングまたはＴＤＤコンポーネントキャリアからのクロスキャリアスケジューリングのうちの１つでスケジューリングするために、少なくとも１つの識別されたダウンリンクサブフレームを使用することを伴い得る。さらに、そのような実施形態では、方法は、少なくとも１つの識別されたダウンリンクサブフレームに対する確認応答／否定確認応答（ＡＣＫ／ＮＡＫ）フィードバックを提供することを伴い得る。
【００１８】
[0018]いくつかの実施形態では、ＡＣＫ／ＮＡＣＫフィードバックは、第１の参照サブフレーム構成の少なくとも１つのダウンリンクサブフレーム部分に対するＡＣＫ／ＮＡＣＫフィードバックとともに同じアップリンクサブフレームにおいて提供される。
【００１９】
[0019]いくつかの実施形態では、第１の参照サブフレーム構成を決定することは、１つまたは複数の受信された信号に少なくとも一部基づく。
【００２０】
[0020]いくつかの実施形態では、参照サブフレーム構成を決定することは、レイヤ３構成に少なくとも一部基づき得る。代替的に、または追加で、参照サブフレーム構成を決定することは、少なくとも１つのＴＤＤコンポーネントキャリアのサブフレーム構成に少なくとも一部基づき得る。
【００２１】
[0021]いくつかの実施形態では、少なくとも１つの周波数分割複信（ＦＤＤ）コンポーネントキャリアは、複数のＦＤＤコンポーネントキャリアであり得る。そのような実施形態では、参照サブフレーム構成を決定することは、複数のＦＤＤコンポーネントキャリアの各々に対して同じ参照ＴＤＤアップリンク−ダウンリンクサブフレーム構成を決定することを伴い得る。
【００２２】
[0022]いくつかの実施形態では、参照サブフレーム構成を決定することは、少なくとも１つのＴＤＤコンポーネントキャリアのサブフレーム構成を決定することを伴い得る。そのような実施形態では、参照サブフレーム構成を決定することは、少なくとも１つのＴＤＤコンポーネントキャリアに対して決定される構成に基づき得る。
【００２３】
[0023]いくつかの実施形態では、参照サブフレーム構成を決定することは、１つまたは複数の受信された信号に少なくとも一部基づき得る。
【００２４】
[0024]ワイヤレス通信ネットワーク中のデバイスのためのマルチキャリア通信のための装置も説明される。いくつかの実施形態では、少なくとも１つの時分割複信（ＴＤＤ）コンポーネントキャリアおよび少なくとも１つの周波数分割複信（ＦＤＤ）コンポーネントキャリアが関与し得る。一構成では、装置は、少なくとも１つのＦＤＤコンポーネントキャリアのダウンリンクのための第１の参照サブフレーム構成を決定するための手段と、少なくとも１つのＦＤＤコンポーネントキャリアのアップリンクのための第２の参照サブフレーム構成を決定するための手段とを含む。そのような実施形態では、装置はさらに、決定された第１の参照サブフレーム構成および第２の参照サブフレーム構成に従って、それぞれのダウンリンク方向およびアップリンク方向に、少なくとも１つのＦＤＤコンポーネントキャリア上で通信するための手段を含み得る。少なくとも１つのＦＤＤコンポーネントキャリア上で通信することは、第１の参照サブフレーム構成または第２の参照サブフレーム構成に基づいて、ハイブリッド自動再送要求（ＨＡＲＱ）タイミングまたはスケジューリングタイミングの少なくとも１つを決定することを含み得る。
【００２５】
[0025]ワイヤレス通信ネットワーク中のデバイスのためのマルチキャリア通信のための装置も説明される。いくつかの実施形態では、少なくとも１つの時分割複信（ＴＤＤ）コンポーネントキャリアおよび少なくとも１つの周波数分割複信（ＦＤＤ）コンポーネントキャリアが関与し得る。装置は、プロセッサと、プロセッサに結合されたメモリとを含み得る。プロセッサは、少なくとも１つのＦＤＤコンポーネントキャリアのダウンリンクのための第１の参照サブフレーム構成を決定し、少なくとも１つのＦＤＤコンポーネントキャリアのアップリンクのための第２の参照サブフレーム構成を決定し、決定された第１の参照サブフレーム構成および第２の参照サブフレーム構成に従って、それぞれのダウンリンク方向およびアップリンク方向に、少なくとも１つのＦＤＤコンポーネントキャリア上で通信するように構成され得る。少なくとも１つのＦＤＤコンポーネントキャリア上で通信することは、第１の参照サブフレーム構成または第２の参照サブフレーム構成に基づいて、ハイブリッド自動再送要求（ＨＡＲＱ）タイミングまたはスケジューリングタイミングの少なくとも１つを決定することを含み得る。
【００２６】
[0026]プロセッサによって実行可能な命令を記憶するための非一時的コンピュータ可読媒体が説明される。いくつかの実施形態では、少なくとも１つの時分割複信（ＴＤＤ）コンポーネントキャリアおよび少なくとも１つの周波数分割複信（ＦＤＤ）コンポーネントキャリアが関与し得る。一構成では、非一時的コンピュータ可読媒体は、少なくとも１つのＦＤＤコンポーネントキャリアのダウンリンクのための第１の参照サブフレーム構成を決定するための命令と、少なくとも１つのＦＤＤコンポーネントキャリアのアップリンクのための第２の参照サブフレーム構成を決定するための命令と、決定された第１の参照ＴＤＤアップリンク−ダウンリンクサブフレーム構成および第２の参照ＴＤＤアップリンク−ダウンリンクサブフレーム構成に従って、それぞれのダウンリンク方向およびアップリンク方向に、少なくとも１つのＦＤＤコンポーネントキャリア上で通信するための命令と、を含み得る。少なくとも１つのＦＤＤコンポーネントキャリア上で通信することは、第１の参照サブフレーム構成または第２の参照サブフレーム構成に基づいて、ハイブリッド自動再送要求（ＨＡＲＱ）タイミングまたはスケジューリングタイミングの少なくとも１つを決定することを含み得る。
【００２７】
[0027]上では、以下の発明を実施するための形態がより良く理解され得るように、本開示による例の特徴および技術的利点についてやや広く概説した。説明される方法および装置の適用可能性のさらなる範囲が、以下の発明を実施するための形態、特許請求の範囲、および図面から明らかになろう。当業者には発明を実施するための形態の趣旨および範囲内の様々な変更および修正が明らかになるので、発明を実施するための形態および具体的な例は、例示として与えられるものにすぎない。
【００２８】
[0028]本開示の性質および利点のさらなる理解は、以下の図面を参照することによって実現され得る。添付の図では、同様のコンポーネントまたは特徴は、同一の参照符号を有し得る。さらに、同一のタイプの様々なコンポーネントは、ダッシュによる参照符合と、同様のコンポーネントを区別する第２の符合とをたどることによって区別され得る。本明細書で第１の参照符号だけが使用される場合、説明は、第２の参照符号にかかわらず、同一の第１の参照符号を有する同様のコンポーネントの任意の１つに適用可能である。
【図面の簡単な説明】
【００２９】
【図１】ワイヤレス通信システムの例を示す図。
【図２】ＴＤＤキャリアのフレーム構造を示す図。
【図３】キャリアアグリゲーションを利用するワイヤレス通信システムを示す図。
【図４】サブフレーム構成のセットのある例を示す図。
【図５】マルチキャリア通信のために構成されるデバイスのある例を示す図。
【図６】マルチキャリア通信のために構成されるデバイスの別の例を示す図。
【図７】マルチキャリア通信のために構成されるユーザ機器のブロック図。
【図８】マルチキャリア通信のために構成される、基地局を含む通信システムのブロック図。
【図９】マルチキャリア通信の方法のある例を示すフローチャート。
【図１０】マルチキャリア通信の方法の別の例を示すフローチャート。
【図１１】マルチキャリア通信の方法の別の例を示すフローチャート。
【図１２】マルチキャリア通信の方法の別の例を示すフローチャート。
【図１３】マルチキャリア通信の方法の別の例を示すフローチャート。
【図１４】マルチキャリア通信の方法の別の例を示すフローチャート。
【図１５】マルチキャリア通信の方法の別の例を示すフローチャート。
【図１６】マルチキャリア通信の方法の別の例を示すフローチャート。
【図１７】マルチキャリア通信の方法の別の例を示すフローチャート。
【発明を実施するための形態】
【００３０】
[0046]説明される実施形態は、１つまたは複数のＴＤＤコンポーネントキャリアと１つまたは複数のＦＤＤコンポーネントキャリアとを利用するワイヤレス通信ネットワーク中のデバイスのためのマルチキャリア通信のためのシステムおよび方法を対象とする。
【００３１】
[0047]本明細書で説明される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなどの様々なワイヤレス通信システムのために使用され得る。「システム」および「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の無線技術のような、様々な無線通信技術を利用することができる。一般に、ワイヤレス通信は、無線アクセス技術（ＲＡＴ）と呼ばれる１つまたは複数の無線通信技術の標準化された実装形態に従って行われる。無線アクセス技術を実装するワイヤレス通信システムまたはネットワークは、無線アクセスネットワーク（ＲＡＮ）と呼ばれ得る。
【００３２】
[0048]ＣＤＭＡ技法を利用する無線アクセス技術の例は、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などを含む。ＣＤＭＡ２０００は、ＩＳ−２０００、ＩＳ−９５、ＩＳ−８５６規格を包含する。ＩＳ−２０００  Ｒｅｌｅａｓｅ  ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムの例はＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））の様々な実装形態を含む。ＯＦＤＭおよび／またはＯＦＤＭＡを利用する無線アクセス技術の例は、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどを含む。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ（登録商標）のＬｏｎｇ  Ｔｅｒｍ  Ｅｖｏｌｕｔｉｏｎ（ＬＴＥ（登録商標））およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書で説明されている。本明細書で説明される技法は、上で言及されたシステムおよび無線技術、ならびに他のシステムおよび無線技術に使用され得る。
【００３３】
[0049]したがって、以下の説明は、例を与えるものであり、特許請求の範囲に記載された範囲、適用可能性、または構成を限定するものではない。本開示の趣旨および範囲から逸脱することなく、論じられる要素の機能および構成において変更が行われ得る。様々な実施形態は、必要に応じて様々な手順またはコンポーネントを省略し、置換し、または追加することができる。たとえば、説明される方法は、説明される順序と異なる順序で実行されてよく、様々なステップが追加され、省略され、または組み合わせられてよい。また、いくつかの実施形態に関して説明される特徴は、他の実施形態において組み合わせられ得る。
【００３４】
[0050]最初に図１を参照すると、図はワイヤレス通信システム１００の一例を示している。ワイヤレス通信システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る、基地局コントローラ（図示されず）の制御下でＵＥ１１５と通信し得る。基地局１０５は、バックホールリンク１３２を通じてコアネットワーク１３０と制御情報および／またはユーザデータを通信し得る。バックホールリンク１３２は、有線バックホールリンク（たとえば、銅、ファイバなど）および／またはワイヤレスバックホールリンク（たとえば、マイクロ波など）であり得る。実施形態では、基地局１０５は、有線またはワイヤレス通信リンクであり得るバックホールリンク１３４を通じて、直接または間接的に、互いに通信し得る。ワイヤレス通信システム１００は、複数のキャリア（様々な周波数の波形信号）上での動作をサポートすることができる。マルチキャリア送信機は、変調された信号を複数のキャリア上で同時に送信することができる。たとえば、各ワイヤレス通信リンク１２５は、上で説明された様々な無線技術に従って変調されたマルチキャリア信号であり得る。各々の変調された信号は、異なるキャリア上で送られることがあり、制御情報（たとえば、基準信号、制御チャネルなど）、オーバーヘッド情報、データなどを搬送することができる。
【００３５】
[0051]基地局１０５は、１つまたは複数の基地局アンテナを介して、ＵＥ１１５とワイヤレスに通信し得る。基地局１０５の場所の各々は、それぞれのカバレッジエリア１１０に通信カバレッジを提供することができる。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局のためのカバレッジエリア１１０は、カバレッジエリアの一部分を構成するセクタに分割され得る（図示されず）。ワイヤレス通信システム１００は、様々なタイプの基地局１０５（たとえば、マクロ基地局、マイクロ基地局、および／またはピコ基地局）を含み得る。様々な技術に対して重複するカバレッジエリアがあり得る。
【００３６】
[0052]ＵＥ１１５はワイヤレス通信システム１００全体にわたって分散され、各デバイスは固定式または移動式であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロ基地局、ピコ基地局、フェムト基地局、リレー基地局などと通信することが可能であり得る。
【００３７】
[0053]ワイヤレス通信システム１００に示されたワイヤレス通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３８】
[0054]実施形態では、ワイヤレス通信システム１００はＬＴＥ／ＬＴＥ−Ａネットワークである。ＬＴＥ／ＬＴＥ−Ａネットワークでは、ｅｖｏｌｖｅｄ  Ｎｏｄｅ  Ｂ（ｅＮＢ）およびユーザ機器（ＵＥ）という用語は一般に、それぞれ基地局１０５およびＵＥ１１５を表すために使用され得る。ワイヤレス通信システム１００は、異なるタイプのｅＮＢが様々な地理的領域にカバレッジを与える、異種ＬＴＥ／ＬＴＥ−Ａネットワークであり得る。たとえば、各基地局１０５は、マクロセル、ピコセル、フェムトセル、および／または他のタイプのセルに通信カバレッジを与え得る。マクロセルは、一般に、比較的大きい地理的エリア（たとえば、半径数キロメートル）をカバーし、ネットワークプロバイダのサービスに加入しているＵＥによる無制限アクセスを可能にし得る。ピコセルは、一般に、比較的小さい地理的エリアをカバーし、ネットワークプロバイダのサービスに加入しているＵＥによる無制限アクセスを可能にし得る。またフェムトセルは、一般に、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限されたアクセスも提供し得る。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。ｅＮＢは、１つまたは複数（たとえば、２つ、３つ、４つなど）のセルをサポートすることができる。
【００３９】
[0055]ＬＴＥ／ＬＴＥ−Ａネットワークアーキテクチャによるワイヤレス通信システム１００は、Ｅｖｏｌｖｅｄ  Ｐａｃｋｅｔ  Ｓｙｓｔｅｍ（ＥＰＳ）と呼ばれ得る。ワイヤレス通信システム１００は、１つまたは複数のＵＥ１１５と、Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）と、Ｅｖｏｌｖｅｄ  Ｐａｃｋｅｔ  Ｃｏｒｅ（ＥＰＣ）（たとえば、コアネットワーク１３０）と、Ｈｏｍｅ  Ｓｕｂｓｃｒｉｂｅｒ  Ｓｅｒｖｅｒ（ＨＳＳ）と、事業者のＩＰサービスとを含み得る。ワイヤレス通信システムは、他の無線アクセス技術を使用して他のアクセスネットワークと相互接続し得る。たとえば、ワイヤレス通信システム１００は、１つまたは複数のＳｅｒｖｉｎｇ  ＧＰＲＳ  Ｓｕｐｐｏｒｔ  Ｎｏｄｅ（ＳＧＳＮ）を介してＵＴＲＡＮベースのネットワークおよび／またはＣＤＭＡベースのネットワークと相互接続することができる。ＵＥ１１５のモビリティおよび／または負荷分散をサポートするために、ワイヤレス通信システム１００は、ソース基地局１０５とターゲット基地局１０５との間のＵＥ１１５のハンドオーバーをサポートすることができる。ワイヤレス通信システム１００は、同じＲＡＴ（たとえば、他のＥ−ＵＴＲＡＮネットワーク）の基地局１０５間のＲＡＴ内ハンドオーバーと、異なるＲＡＴの基地局１０５間のＲＡＴ間ハンドオーバー（たとえば、Ｅ−ＵＴＲＡＮからＣＤＭＡなど）とをサポートし得る。ワイヤレス通信システム１００はパケット交換サービスを提供し得るが、当業者が容易に認識するように、本開示全体にわたって提示される様々な概念は、回線交換サービスを提供するネットワークに拡張され得る。
【００４０】
[0056]Ｅ−ＵＴＲＡＮは、基地局１０５を含んでよく、ＵＥ１１５に対してユーザプレーンプロトコル終端と制御プレーンプロトコル終端とを提供し得る。基地局１０５は、バックホール１３４（たとえば、Ｘ２インターフェースなど）を介して他の基地局１０５に接続され得る。基地局１０５は、ＵＥ１１５にコアネットワーク１３０へのアクセスポイントを提供し得る。基地局１０５は、バックホールリンク１３２（たとえば、Ｓ１インターフェースなど）によってコアネットワーク１３０に接続され得る。コアネットワーク１３０内の論理ノードは、１つまたは複数のモビリティ管理エンティティ（ＭＭＥ）と、１つまたは複数のサービングゲートウェイと、１つまたは複数のパケットデータネットワーク（ＰＤＮ）ゲートウェイ（図示されず）とを含み得る。一般に、ＭＭＥはベアラと接続管理とを提供することができる。すべてのユーザＩＰパケットはサービングゲートウェイを通じて転送されてよく、サービングゲートウェイ自体はＰＤＮゲートウェイに接続され得る。ＰＤＮゲートウェイはＩＰアドレス割振りならびに他の機能をＵＥに提供し得る。ＰＤＮゲートウェイはＩＰネットワークおよび／または事業者のＩＰサービスに接続され得る。これらの論理ノードは別個の物理ノードにおいて実装されてよく、または、１つまたは複数が単一の物理ノードにおいて組み合わせられてよい。ＩＰネットワーク／事業者のＩＰサービスは、インターネット、イントラネット、ＩＰマルチメディアサブシステム（ＩＭＳ）、および／またはパケット交換（ＰＳ）ストリーミングサービス（ＰＳＳ）を含み得る。
【００４１】
[0057]ＵＥ１１５は、たとえば、多入力多出力（ＭＩＭＯ）、多地点協調（ＣｏＭＰ）、または他の方式を通じて、複数の基地局１０５と協調的に通信するように構成され得る。ＭＩＭＯ技法は、複数のデータストリームを送信するためにマルチパス環境を利用するために、基地局上の複数のアンテナおよび／またはＵＥ上の複数のアンテナを使用する。ＣｏＭＰは、ＵＥのための全体的な送信品質を改善し、さらにはネットワークとスペクトルの利用率を高めるための、いくつかの基地局による送信および受信の動的な協調のための技法を含む。一般に、ＣｏＭＰ技法は、ＵＥ１１５のための制御プレーン通信とユーザプレーン通信とを調和させるために、基地局１０５間の通信のためにバックホールリンク１３２および／または１３４を利用する。
【００４２】
[0058]様々な開示された実施形態のいくつかに適応することができる通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネルを通じて通信するためにパケットのセグメンテーションとリアセンブルとを実行し得る。媒体アクセス制御（ＭＡＣ）レイヤは、優先処理と、トランスポートチャネルへの論理チャネルの多重化とを実行し得る。ＭＡＣレイヤはまた、信頼性の高いデータ送信を保証するためにＭＡＣレイヤにおいて再送信を行うために、ハイブリッド自動再送要求（ＨＡＲＱ）技法を使用し得る。制御プレーンでは、無線リソース制御（ＲＲＣ）プロトコルレイヤは、ユーザプレーンデータのために使用されるＵＥとネットワークとの間のＲＲＣ接続の確立と、構成と、維持とを提供し得る。物理レイヤにおいて、トランスポートチャネルは物理チャネルにマッピングされ得る。
【００４３】
[0059]ダウンリンク物理チャネルは、物理ダウンリンク制御チャネル（ＰＤＣＣＨ）、物理ＨＡＲＱインジケータチャネル（ＰＨＩＣＨ）、および物理ダウンリンク共有チャネル（ＰＤＳＣＨ）の少なくとも１つを含み得る。アップリンク物理チャネルは、物理アップリンク制御チャネル（ＰＵＣＣＨ）および物理アップリンク共有チャネル（ＰＵＳＣＨ）の少なくとも１つを含み得る。ＰＤＣＣＨは、ダウンリンク制御情報（ＤＣＩ）を搬送することができ、ＤＣＩは、ＰＤＳＣＨ上でのＵＥのためのデータ送信を示すとともに、ＰＵＳＣＨについて、ＵＥにＵＬリソース許可を与え得る。ＵＥは、制御セクション中の割り当てられたリソースブロック上のＰＵＣＣＨ中で制御情報を送信し得る。ＵＥは、データセクション中の割り当てられたリソースブロック上のＰＵＳＣＨ中でデータまたはデータと制御情報の両方を送信し得る。
【００４４】
[0060]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよび／またはＳＣ−ＦＤＭＡキャリアは、一般にトーン、ビンなどとも呼ばれる複数（Ｋ個）の直交サブキャリアに区分され得る。各サブキャリアはデータで変調され得る。隣接するサブキャリア間の間隔は固定されていてよく、サブキャリアの総数（Ｋ）はシステム帯域幅に依存し得る。たとえば、Ｋは、１．４、３、５、１０、１５、または２０メガヘルツ（ＭＨｚ）の（ガード帯域を伴う）対応するシステム帯域幅に対して、それぞれ、１５キロヘルツ（ＫＨｚ）のサブキャリア間隔を伴って、７２、１８０、３００、６００、９００、または１２００に等しくなり得る。システム帯域幅はまた、サブバンドに区分され得る。たとえば、１つのサブバンドは１．０８ＭＨｚをカバーすることができ、１つ、２つ、４つ、８つまたは１６個のサブバンドがあり得る。
【００４５】
[0061]キャリアは、ＦＤＤ動作を使用して（たとえば、対にされたスペクトルリソースを使用して）、またはＴＤＤ動作を使用して（たとえば、対にされていないスペクトルリソースを使用して）、双方向通信を送信し得る。ＦＤＤのためのフレーム構造（たとえば、フレーム構造タイプ１）とＴＤＤのためのフレーム構造（たとえば、フレーム構造タイプ２）とが定義され得る。時間間隔は、基本時間単位Ｔs＝１／３０７２００００の倍数で表され得る。各フレーム構造は、無線フレーム長Ｔf＝３０７２００・Ｔs＝１０ｍｓを有してよく、それぞれ長さ１５３６００・Ｔs＝５ｍｓの２つのハーフフレームまたはスロットを含み得る。各ハーフフレームは、長さ３０７２０・Ｔs＝１ｍｓの５つのサブフレームを含み得る。
【００４６】
[0062]ＬＴＥ／ＬＴＥ−Ａネットワークは、構成可能な数の独立したＨＡＲＱプロセスを伴う、マルチプロセスタイプＩＩ  ＨＡＲＱをサポートする。各ＨＡＲＱプロセスは、新しいデータまたはトランスポートブロックを送信する前に、確認応答（ＡＣＫ）を受信するのを待つ。ＬＴＥ／ＬＴＥ−Ａは、ダウンリンク上で非同期ＨＡＲＱ送信をサポートし、アップリンク上で同期ＨＡＲＱ送信を使用する。非同期ＨＡＲＱと同期ＨＡＲＱの両方において、ＡＣＫ／ＮＡＫ情報は、ＤＬ送信またはＵＬ送信からある数のサブフレーム後に提供され得る。一般に、ＬＴＥ／ＬＴＥ−Ａ  ＦＤＤキャリアに対して、ＨＡＲＱプロセスのためのＡＣＫ／ＮＡＫ情報は、データ送信から４サブフレーム後に送信される。非同期ＨＡＲＱでは、後続の送信のためのスケジューリングされるＡＣＫ／ＮＡＣＫは事前に決定されず、どのＨＡＲＱプロセスが各サブフレームにおいて送信されるかに関する命令を、基地局がＵＥに提供する。ＦＤＤにおける同期ＨＡＲＱでは、ＵＥは、ＮＡＫを受信してから所定数のサブフレーム後に、特定のＨＡＲＱプロセスの第２の送信を実行する。一般に、ＬＴＥ／ＬＴＥ−Ａ  ＦＤＤキャリアでは、同じＨＡＲＱプロセスの後続のＵＬ送信は、ＮＡＫを受信してから４サブフレーム後に発生する。ＴＤＤにおける同期ＨＡＲＱでは、サブフレームｉ−ｋにおけるＵＬ送信と関連付けられるサブフレームｉにおいて、ＡＣＫ／ＮＡＫ情報が受信され得、ここでｋはＴＤＤ  ＵＬ／ＤＬ構成に従って定義され得る。特定のＨＡＲＱプロセスの後続の送信は、サブフレームｎ−ｋにおいて受信されるＮＡＫのためにサブフレームｎにおいて実行され得、ここでｋはＴＤＤ  ＵＬ／ＤＬ構成に従って定義され得る。
【００４７】
[0063]図２は、ＴＤＤキャリアのフレーム構造２００を示す。ＴＤＤフレーム構造では、各サブフレーム２１０はＵＬトラフィックまたはＤＬトラフィックを搬送し得、特殊サブフレーム（「Ｓ」）２１５は、ＤＬ送信とＵＬ送信とを切り替えるために使用され得る。無線フレーム内でのＵＬサブフレームおよびＤＬサブフレームの割振りは、対称または非対称であってよく、半静的または動的に再構成され得る。特殊サブフレーム２１５は、何らかのＤＬトラフィックおよび／またはＵＬトラフィックを搬送することができ、ＤＬトラフィックとＵＬトラフィックとの間のガード期間（ＧＰ）を含み得る。ＵＬトラフィックからＤＬトラフィックへの切替えは、特殊サブフレーム、またはＵＬサブフレームとＤＬサブフレームとの間のガード期間を使用せずに、ＵＥにおいてタイミングアドバンスを設定することによって達成され得る。フレーム期間（たとえば、１０ｍｓ）またはフレーム期間の半分（たとえば、５ｍｓ）に等しい切替えポイントの周期性を伴うＴＤＤ構成がサポートされ得る。たとえば、ＴＤＤフレームは１つまたは複数の特殊フレームを含み得、特殊フレーム間の期間はフレームのためのＴＤＤのＤＬからＵＬへの切替えポイントの周期性を決定し得る。
【００４８】
[0064]ＬＴＥ／ＬＴＥ−Ａの場合、表１に示されるように、ＤＬサブフレームを４０％と９０％との間で与える７つの異なるＴＤＤ  ＵＬ／ＤＬ構成が定義される。
【００４９】
【表１】
2016536829.tif 000003
【００５０】
[0065]いくつかのＴＤＤ  ＵＬ／ＤＬ構成はＤＬサブフレームよりも少ないＵＬサブフレームを有するので、アップリンクサブフレームにおけるＰＵＣＣＨ送信内の関連付けセットに対するＡＣＫ／ＮＡＫ情報を送信するためにいくつかの技法が使用され得る。たとえば、ＡＣＫ／ＮＡＫ情報を組み合わせるためにバンドリングが使用され、送るべきＡＣＫ／ＮＡＫ情報の量を減らすことができる。ＡＣＫ／ＮＡＫバンドリングは、関連付けセットの各フレームに対するＡＣＫ／ＮＡＫ情報が確認応答（ＡＣＫ）である場合に、ＡＣＫの値に設定される単一のビットへとＡＣＫ／ＮＡＫ情報を組み合わせることができる。たとえば、ＡＣＫ／ＮＡＫ情報は、特定のサブフレームのための、ＡＣＫを表すためのバイナリ「１」および否定確認応答（ＮＡＣＫ）を表すためのバイナリ「０」であってよい。ＡＣＫ／ＮＡＫ情報は、関連付けセットの複数のＡＣＫ／ＮＡＫビットに対する論理ＡＮＤ演算を使用してバンドリングされ得る。バンドリングは、ＰＵＣＣＨを通じて送られるべき情報の情報を減らすので、ＨＡＲＱ  ＡＣＫ／ＮＡＫフィードバックの効率を上げる。１つのアップリンクサブフレームにおいて複数ビットのＡＣＫ／ＮＡＫ情報を送信するために、多重化が使用され得る。たとえば、最大で４ビットのＡＣＫ／ＮＡＫが、チャネル選択を伴うＰＵＣＣＨフォーマット１ｂを使用して送信され得る。
【００５１】
[0066]ワイヤレス通信システム１００は、キャリアアグリゲーション（ＣＡ）またはマルチキャリア動作と呼ばれることがある、複数のキャリア上での動作をサポートし得る。キャリアは、コンポーネントキャリア（ＣＣ）、レイヤ、チャネルなどと呼ばれることもある。「キャリア」、「レイヤ」、「ＣＣ」、および「チャネル」という用語は、本明細書では互換的に使用されることがある。ダウンリンクのために使用されるキャリアはダウンリンクＣＣと呼ばれることがあり、アップリンクのために使用されるキャリアはアップリンクＣＣと呼ばれることがある。ＵＥ１１５は、キャリアアグリゲーションのために１つまたは複数のアップリンクＣＣと複数のダウンリンクＣＣとで構成され得る。マルチレイヤ基地局１０５は、ダウンリンクおよび／またはアップリンク上での複数のＣＣを通じたＵＥとの通信をサポートするように構成され得る。したがって、ＵＥ１１５は、１つのマルチレイヤ基地局１０５から、または複数の基地局１０５（たとえば、シングルレイヤ基地局またはマルチレイヤ基地局）から、１つまたは複数のダウンリンクＣＣについてのデータと制御情報とを受信することができる。ＵＥ１１５は、１つまたは複数のアップリンクＣＣ上でデータと制御情報とを１つまたは複数の基地局１０５に送信することができる。キャリアアグリゲーションは、ＦＤＤコンポーネントキャリアとＴＤＤコンポーネントキャリアの両方とともに使用され得る。ＤＬキャリアアグリゲーションでは、複数のＤＬ送信が１つのサブフレームにおいて発生するとき、複数ビットのＡＣＫ／ＮＡＫはフィードバックされる。最大で２２ビットのＡＣＫ／ＮＡＫが、ＤＬキャリアアグリゲーションのためにＰＵＣＣＨフォーマット３を使用して送信され得る。
【００５２】
[0067]図３は、様々な実施形態によるキャリアアグリゲーションを利用するワイヤレス通信システム３００を示す。ワイヤレス通信システム３００は、ワイヤレス通信システム１００の態様を示し得る。ワイヤレス通信システム３００は、ＵＥ１１５と通信するために１つまたは複数のコンポーネントキャリア３２５（ＣＣ1−ＣＣN）を使用する、１つまたは複数の基地局１０５を含み得る。基地局１０５は、コンポーネントキャリア３２５上の順方向（ダウンリンク）チャネルを通じてＵＥ１１５に情報を送信することができる。加えて、ＵＥ１１５は、コンポーネントキャリア３２５の逆方向（アップリンク）チャネルを通じて基地局１０５−ａに情報を送信することができる。図３ならびに開示される実施形態のいくつかと関連付けられる他の図の様々なエンティティを説明する際に、説明の目的で、３ＧＰＰ  ＬＴＥまたはＬＴＥ−Ａワイヤレスネットワークと関連付けられる名称が使用されている。しかしながら、ワイヤレス通信システム３００は、限定はされないが、ＯＦＤＭＡワイヤレスネットワーク、ＣＤＭＡネットワーク、３ＧＰＰ２  ＣＤＭＡ２０００ネットワークなどの他のネットワークにおいて動作することができることを理解されたい。コンポーネントキャリアＣＣ1−ＣＣN３２５の１つまたは複数は、同じ周波数動作帯域にあってよく（帯域内）、または異なる動作帯域にあってよく（帯域間）、帯域内ＣＣは動作帯域内で連続的であってよく、または非連続的であってよい。
【００５３】
[0068]ワイヤレス通信システム３００において、ＵＥ１１５は、１つまたは複数の基地局１０５と関連付けられる複数のＣＣによって構成され得る。１つのＣＣが、ＵＥ１１５のための一次的ＣＣ（ＰＣＣ）として指定される。ＰＣＣは、ＵＥごとにより高次のレイヤ（たとえば、ＲＲＣなど）によって準静的に構成され得る。特定のアップリンク制御情報（ＵＣＩ）（たとえば、ＡＣＫ／ＮＡＫ、チャネル品質情報（ＣＱＩ）、スケジューリング要求（ＳＲ）など）は、ＰＵＣＣＨ上で送信されるとき、ＰＣＣによって搬送される。したがって、ＵＬ  ＳＣＣは、所与のＵＥに対してはＰＵＣＣＨのために使用されないことがある。ＵＥ１１５は、非対称なＤＬからＵＬへのＣＣの割当てによって構成され得る。ＬＴＥ／ＬＴＥ−Ａでは、最大で５：１のＤＬからＵＬへのマッピングがサポートされる。したがって、１つのＵＬ  ＣＣ（たとえば、ＰＣＣ  ＵＬ）は、最大で５個のＤＬ  ＣＣについて、ＰＵＣＣＨ上でＵＣＩ（たとえば、ＡＣＫ／ＮＡＫ）を搬送することができる。
【００５４】
[0069]図３に示される例では、ＵＥ１１５−ａは、基地局１０５−ａと関連付けられるＰＣＣ３２５−ａおよびＳＣＣ３２５−ｂと、基地局１０５−ｂと関連付けられるＳＣＣ３２５−ｃとによって構成される。ワイヤレス通信システム３００は、ＦＤＤおよび／またはＴＤＤ  ＣＣ３２５の様々な組合せを使用してキャリアアグリゲーションをサポートするように構成され得る。たとえば、ワイヤレス通信システム３００のいくつかの構成は、ＦＤＤ  ＣＣ（たとえば、１つのＦＤＤ  ＰＣＣ、および１つまたは複数のＦＤＤ  ＳＣＣ）のためのＣＡをサポートすることができる。他の構成は、複数のＴＤＤ  ＣＣ（たとえば、ＴＤＤ  ＰＣＣおよび１つまたは複数のＴＤＤ  ＳＣＣ）を使用してＣＡをサポートすることができる。いくつかの例では、ＣＡのためのＴＤＤ  ＳＣＣは同じＤＬ／ＵＬ構成を有するが、他の例は異なるＤＬ／ＵＬ構成のＣＣによってＴＤＤ  ＣＡをサポートする。
【００５５】
[0070]いくつかの実施形態では、ワイヤレス通信システム３００は、ＣＡおよび他のタイプの統合運用（joint operation）（たとえば、ＵＥ１１５のために構成された複数のＣＣの基地局１０５が低減されたバックホール能力を有するときの二重接続性など）を含む、ＴＤＤ−ＦＤＤ統合運用をサポートすることができる。ＴＤＤ−ＦＤＤ統合運用は、ＦＤＤとＴＤＤのＣＡ動作をサポートするＵＥ１１５が、ＣＡを使用して、または単一のＣＣモードでＦＤＤ  ＣＣとＴＤＤ  ＣＣの両方にアクセスすることを可能にし得る。加えて、様々な能力を有するレガシーＵＥ（たとえば、単一モードのＵＥ、ＦＤＤ  ＣＡ対応のＵＥ、ＴＤＤ  ＣＡ対応のＵＥなど）が、ワイヤレス通信システム３００のＦＤＤキャリアまたはＴＤＤキャリアに接続することができる。
【００５６】
[0071]一般に、キャリアアグリゲーションの利点を依然として得ながら、キャリアアグリゲーションを簡単にすることが有用であり得る。具体的には、ＴＤＤコンポーネントキャリア（ＣＣ）が一次的コンポーネントキャリア（ＰＣＣ）であるときにＦＤＤ＋ＴＤＤキャリアアグリゲーションをサポートすることは、大きな課題となる。これらの課題は、ＴＤＤ  ＣＣがＰＵＣＣＨを搬送するためのＰＣＣとして指定されるとき、ＦＤＤキャリアのためのＤＬサブフレーム（またはＵＬサブフレーム）のセットがＴＤＤキャリアのためのＤＬサブフレーム（またはＵＬサブフレーム）の上位セットであるという事実によるものであり得る。この事実は、たとえば、ＨＡＲＱタイミングの設計、スケジューリングタイミング、およびチャネル状態情報（ＣＳＩ）フィードバックなどを複雑にし得る。したがって、ＴＤＤ  ＣＣがＰＣＣであるときには特に、ＦＤＤ＋ＴＤＤキャリアアグリゲーションに対する簡易的な手法を提供することが有用であり得る。
【００５７】
[0072]ＵＥが全複信（full-duplex）の能力を有しない場合、ＦＤＤ＋ＴＤＤキャリアアグリゲーションに関して追加の問題が生じ得る。たとえば、１つのＦＤＤコンポーネントキャリア（ＣＣ）が一次的コンポーネントキャリア（ＰＣＣ）として指定されるとき、全複信の能力を有するＵＥが必要とされ得る。したがって、ＰＣＣはＦＤＤ＋ＴＤＤキャリアアグリゲーションの展開を増やすことが可能であり得るので、半複信（half-duplex）ＵＥがＦＤＤ  ＣＣによってＦＤＤ＋ＴＤＤキャリアアグリゲーションを実装することを可能にする手法。
【００５８】
[0073]本明細書で説明される様々な手法において、ＦＤＤ＋ＴＤＤキャリアアグリゲーションは、表１のＴＤＤ動作に対して定義されるＴＤＤ  ＵＬ／ＤＬ構成に従って動作するように実装され得る。しかしながら、ＴＤＤ動作に対してそのようなことが定義される場合、説明される技法は追加のＴＤＤ  ＵＬ／ＤＬ構成に適用可能であることを理解されたい。
【００５９】
[0074]実施形態において、ＦＤＤ＋ＴＤＤキャリアアグリゲーションがサポートされるべきであるとき、ダウンリンク（ＦＤＤ  ＤＬ）のためのＦＤＤ  ＣＣおよび／またはアップリンク（ＦＤＤ  ＵＬ）のためのＦＤＤ  ＣＣは、特定のＴＤＤ  ＵＬ／ＤＬ構成におけるＴＤＤ  ＣＣと同様に扱われ得る。言い換えると、参照サブフレーム構成がＦＤＤ  ＣＣに対して決定され得る。参照サブフレーム構成は、利用可能なＴＤＤ  ＵＬ：ＤＬのサブフレーム構成に対応してよく、ＦＤＤキャリア上のアップリンク通信およびダウンリンク通信に対して同じであってよく、または異なっていてよい。ワイヤレス通信ネットワークを通じた通信は次いで、決定された参照サブフレーム構成に従ってＦＤＤ  ＣＣ上で実行され得る。
【００６０】
[0075]いくつかの実施形態では、参照サブフレーム構成がＦＤＤ  ＣＣのＤＬキャリアに対して決定され得る。また、参照サブフレーム構成がＦＤＤ  ＣＣのＵＬキャリアに対して決定され得る。そのような場合、ワイヤレス通信ネットワークを通じた通信は、それぞれのダウンリンク方向およびアップリンク方向に、決定された参照サブフレーム構成に従ってＦＤＤ  ＣＣ上で実行され得る。一例では、ハイブリッド自動再送要求（ＨＡＲＱ）タイミングは、参照サブフレーム構成に基づいて決定され得る。ＨＡＲＱタイミングは、たとえば、物理ダウンリンク共有チャネル（ＰＤＳＣＨ）送信または物理アップリンク共有チャネル（ＰＵＳＣＨ）送信と対応するＡＣＫ／ＮＡＫメッセージとの間のタイミングを指し得る。別の例では、スケジューリングタイミングは、参照サブフレーム構成に基づいて決定され得る。スケジューリングタイミングは、たとえば、物理ダウンリンク制御チャネル（ＰＤＣＣＨ）または増強された／進化したＰＤＣＣＨ（ＥＰＤＣＣＨ）とＰＤＳＣＨまたはＰＵＳＣＨとの間のタイミングを指し得る。
【００６１】
[0076]ＴＤＤ  ＵＬ／ＤＬサブフレーム構成と同様に扱われるＦＤＤ  ＤＬにおいて特殊サブフレームを扱うための、様々な手法が考えられる。また、ＴＤＤ  ＵＬ／ＤＬサブフレーム構成と同様に扱われるＦＤＤ  ＵＬにおいて特殊サブフレームを扱うための、様々な手法が考えられる。参照サブフレーム構成に従って、ＦＤＤ  ＤＬにおけるＤＬに利用可能ではない、および／またはＦＤＤ  ＵＬにおけるＵＬに利用可能ではないサブフレームを利用するための、様々な手法も考えられる。たとえば、そのようなサブフレームはスケジューリングのために利用され得る。
【００６２】
[0077]図４は、本明細書で説明される手法の１つの実装形態のためのサブフレーム構成のセットの例を示す。この例では、明確のために、１つのＦＤＤ  ＣＣおよび１つのＴＤＤ  ＣＣを含む。示されるように、ＴＤＤ  ＣＣはＰＣＣであると決定され、またはＰＣＣとして指定され、ＦＤＤ  ＣＣはＳＣＣである。ＴＤＤ  ＰＣＣは、ＴＤＤ  ＵＬ／ＤＬ構成１において構成され得る（上の表１を参照されたい）。
【００６３】
[0078]いくつかの実施形態では、ＴＤＤ  ＵＬ／ＤＬ構成５が、ＦＤＤ  ＤＬのための参照サブフレーム構成に対して決定される。この場合、無線フレーム中のサブフレームの９０パーセントがＤＬ通信に利用可能であり、ＦＤＤ  ＤＬ参照サブフレーム構成におけるサブフレーム２はＵＥのためのＰＤＳＣＨには使用され得ない。しかしながら、サブフレーム２は場合によっては他のＵＥのために使用されてよく、および／または、ＵＥまたは他のＵＥのためのマルチメディアブロードキャスト／マルチキャストサービス（ＭＢＭＳ）によって使用されてよい。
【００６４】
[0079]いくつかの実施形態では、ＴＤＤ  ＵＬ／ＤＬ構成０が、ＦＤＤ  ＵＬのための参照サブフレーム構成に対して決定される。この場合、無線フレーム中のサブフレームの６０パーセントがＵＬ通信に利用可能であり、このＦＤＤ  ＵＬ参照サブフレーム構成におけるサブフレーム０および５はＵＬ送信には使用され得ず、サブフレーム１および６は少なくとも部分的にＵＬ送信に使用され得ない。
【００６５】
[0080]ＦＤＤ  ＤＬおよび／またはＵＬのための参照サブフレーム構成の決定は、適宜または望み通りに、たとえば適切なパラメータに基づいて、ワイヤレス通信ネットワークのＵＥによって、または基地局によって行われ得る。たとえば、ＦＤＤ  ＤＬおよび／またはＵＬのための参照サブフレーム構成は、ＴＤＤ  ＰＣＣの構成と互換性があるものとして選ばれ得る。互換性は、ＨＡＲＱラウンドトリップタイム（ＲＴＴ）が同じであること、構成が同じであることなどによるものであり得る。別の例として、ＦＤＤ  ＤＬおよび／またはＵＬのための参照サブフレーム構成は、ＴＤＤ  ＰＣＣ上でのＡＣＫ／ＮＡＫビットの最大値を考慮するように選ばれ得る。別の例として、ＦＤＤ  ＤＬおよび／またはＵＬのための参照サブフレーム構成は、ＵＥの能力、たとえば、ＵＥが全複信であるか半複信であるか、ＵＥのカテゴリ、ＵＥが統合できるＤＬ  ＣＣおよび／またはＵＬ  ＣＣの最大の数などに基づいて選ばれ得る。
【００６６】
[0081]いくつかの実施形態では、参照サブフレーム構成は、ＵＥのために設定され（たとえばハードコーディングされ）、したがって、たとえば、ＵＥのストレージまたはメモリにアクセスすることによって決定され得る。他の実施形態では、参照サブフレーム構成は、特定のセルにサービスする基地局などによってそのセルの中の１つまたは複数のＵＥに対して特別に、または、ＵＥからサービング基地局に、シグナリングされ得る。
【００６７】
[0082]いくつかの実施形態では、ＦＤＤ  ＤＬおよびＦＤＤ  ＵＬのための参照サブフレーム構成は同じであり得る。他の実施形態では、異なる参照サブフレーム構成がＦＤＤ  ＤＬおよびＦＤＤ  ＵＬのためにそれぞれ決定され得る。上で述べられたように、可能な参照サブフレーム構成は、表１に示される既存の７つの構成に制約され得る。しかしながら、現在の構成を超えるＴＤＤのためのＴＤＤ  ＵＬ／ＤＬ構成の拡張も可能である。
【００６８】
[0083]図４に示される例では、ＦＤＤ  ＤＬのための参照サブフレーム構成は、サブフレーム１およびサブフレーム６に対する特殊サブフレームを有する。ＦＤＤ  ＤＬにおける特殊サブフレームを扱うためのいくつかの手法が考えられる。
【００６９】
[0084]１つの手法は、そのような特殊サブフレームを通常のＤＬサブフレームとして扱うことである。そのような手法が示される例のために使用されるとき、ＤＬ送信は、全複信ＵＥのためのサブフレーム全体にわたり得る。一方、半複信ＵＥでは、対応するＰＣＣサブフレームが特殊サブフレームである場合、ＤＬ送信については特殊サブフレームが省略され得る。示される例では、ＰＣＣのサブフレーム構成におけるサブフレーム１および６は特殊サブフレームであるので、サブフレーム１および６はＤＬ送信については省略される。
【００７０】
[0085]別の手法は、ＰＣＣの対応するサブフレーム構成に基づいて、ＦＤＤ  ＤＬにおける特殊サブフレームを扱うことである。図４の例には示されないが、そのような手法が使用されるとき、ＦＤＤ  ＤＬのための参照サブフレーム構成における特殊サブフレームは、ＰＣＣのＴＤＤ  ＵＬ／ＤＬ構成における対応するサブフレームがＤＬサブフレームである場合、通常のＤＬサブフレームとして扱われ得る。例において示されるように、ＦＤＤ  ＤＬのための参照サブフレーム構成における特殊サブフレーム１および６は、ＰＣＣのＴＤＤ  ＵＬ／ＤＬ構成における対応するサブフレーム１および６が特殊サブフレームであるので、特殊サブフレームとして扱われ得る。ＦＤＤ  ＤＬにおけるそのような特殊サブフレームは、適宜にまたは所望に、いくつかの特殊サブフレームの構成（たとえば、普通の巡回プレフィクス（ＣＰ）におけるような、１２個のダウンリンクパイロットタイムスロット（ＤｗＰＴＳ）シンボル、１つのガード期間（ＧＰ）シンボル、および１つのアップリンクパイロットタイムスロット（ＵｐＰＴＳ）シンボル）であるものとして設定され得る。全複信ＵＥでは、この手法が好ましいことがある。代替的には、ＦＤＤ  ＤＬにおけるそのような特殊サブフレームは、対応するＰＣＣの特殊サブフレームの構成と同じ特殊サブフレーム構成となるように設定され得る。半複信ＵＥでは、この代替的な手法が好ましいことがある。
【００７１】
[0086]図４に示される例では、ＦＤＤ  ＵＬのための参照サブフレーム構成は、サブフレーム１およびサブフレーム６に対する特殊サブフレームも有する。やはり、ＦＤＤ  ＵＬにおける特殊サブフレームを扱うためのいくつかの手法が考えられる。
【００７２】
[0087]１つの手法は、そのような特殊サブフレームを、ＵＬ送信に使用可能ではない通常のＤＬサブフレームとして扱うことである。そのような手法が示される例に使用されるとき、ＵＬ送信は、サブフレーム２−４および７−９に制約されることがあり、ＦＤＤ  ＵＬのための参照サブフレーム構成における特殊サブフレーム１および６はＵＬ送信では省略されることがある。
【００７３】
[0088]別の手法は、ＰＣＣの対応するサブフレーム構成に基づいて、ＦＤＤ  ＵＬにおける特殊サブフレームを扱うことである。図４の例には示されないが、そのような手法が使用されるとき、ＦＤＤ  ＵＬのための参照サブフレーム構成における特殊サブフレームは、ＰＣＣのサブフレーム構成における対応するサブフレームがＤＬサブフレームである場合、通常のＤＬサブフレームとして扱われ得る。例において示されるように、ＦＤＤ  ＤＬのための参照サブフレーム構成における特殊サブフレーム１および６は、ＰＣＣのサブフレーム構成における対応するサブフレーム１および６が特殊サブフレームであるので、特殊サブフレームとして扱われ得る。ＦＤＤ  ＤＬにおけるそのような特殊サブフレームは、適宜にまたは所望に、いくつかの特殊サブフレーム構成（たとえば、２個のＵｐＰＴＳシンボル）となるように設定され得る。全複信ＵＥでは、この手法が好ましいことがある。代替的には、ＦＤＤ  ＵＬにおけるそのような特殊サブフレームは、対応するＰＣＣの特殊サブフレームの構成と同じ特殊サブフレーム構成となるように設定され得る。半複信ＵＥでは、この代替的な手法が好ましいことがある。
【００７４】
[0089]さらに別の手法は、ＦＤＤ  ＵＬにおける特殊サブフレームを特殊サブフレームとして扱い、ＰＣＣのサブフレーム構成におけるサブフレームのタイプとは無関係にいくつかの特殊サブフレーム構成（たとえば、２個のＵｐＰＴＳシンボル）としてそのような特殊サブフレームを設定することである。したがって、そのような手法では、ＰＣＣのＴＤＤ  ＵＬ／ＤＬ構成における対応するサブフレームのタイプは、ＦＤＤ  ＵＬにおける特殊サブフレームの扱いに影響を与えず、またはそうでなければその扱いを決定しない。この手法は、全複信ＵＥに対してはより適用可能であり得る。
【００７５】
[0090]前述の手法（たとえば、ＦＤＤ  ＣＣ、ＦＣＣ  ＤＬ、および／またはＦＣＣ  ＵＬのための参照サブフレーム構成の決定を伴う）により、既存のキャリアアグリゲーションの設計が使用されることが可能になり得る。たとえば、そのような手法は、既存のリリース１０およびリリース１１のキャリアアグリゲーションの設計と互換性がある。したがって、ＦＤＤ＋ＴＤＤ  ＣＡ（および他のタイプの統合運用）をサポートするための新たな方式を設計することに伴い生じ得る潜在的な課題が、減らされ、および／または回避され得る。たとえば、ＦＤＤ  ＣＣのための参照サブフレーム構成を使用することで、ＴＤＤ＋ＦＤＤ  ＣＡのためのＴＤＤ＋ＴＤＤ  ＣＡ  ＨＡＲＱタイミング設計（たとえば、リリース１１のＴＤＤ＋ＴＤＤ  ＣＡなど）の使用が可能になり得る。
【００７６】
[0091]参照サブフレーム構成としてＦＤＤ  ＣＣ（たとえば、ＦＤＤ  ＤＬおよび／またはＵＬ）を扱うことの潜在的な不利益は、ＦＤＤ  ＣＣにおけるすべてのＤＬサブフレームおよびＵＬサブフレームが完全には利用されないことがあることである。言い換えると、参照サブフレーム構成によっては、ＦＤＤ  ＤＬサブフレームの一部および／またはＦＤＤ  ＵＬサブフレームの一部が、そのような手法が実施されるときに利用可能ではないことがある。上で論じられたように、これは、ＦＤＤ  ＤＬではサブフレーム２に対して当てはまり、図４に示されるＦＤＤ  ＵＬではサブフレーム０、１、５、および６に対して当てはまる。
【００７７】
[0092]そのようなサブフレームの利用率を上げるための１つの手法は、そのようなサブフレームにおいてスケジューリングを許可することである。言い換えると、スケジューリングを許可しなければそれぞれのＤＬ／ＵＬの受信／送信に対して使用できないサブフレームにおいてスケジューリングを許可しながら、ＦＤＤ  ＤＬは１つの参照サブフレーム構成として扱われてよく、ＦＤＤ  ＵＬは別の参照サブフレーム構成として扱われてよい（たとえば、同じ参照構成または異なる参照構成）。
【００７８】
[0093]ＦＤＤ  ＤＬにおけるそのようなサブフレーム、たとえば図４の例のサブフレーム２では、ＰＤＳＣＨがスケジューリングされ得る。ＴＤＤ  ＣＣによるＦＤＤ  ＣＣのためのクロスキャリアスケジューリングがないとき、ＰＤＳＣＨは、同じＦＤＤ  ＣＣまたは別のＦＤＤ  ＣＣの同じサブフレーム中の１つまたは複数の制御チャネルによってそのようなサブフレームにおいてスケジューリングされ得る。示される例では、制御チャネル（たとえば、ＰＤＣＣＨ／ＥＰＤＣＣＨ）は、ＦＤＤ  ＤＬのサブフレーム２においてＰＤＳＣＨをスケジューリングするためにＦＤＤ  ＤＬのサブフレーム２において提供され得る。適宜にまたは所望に、ＰＤＳＣＨはそのようなサブフレームにおいて準継続的にスケジューリングされ得る。ＴＤＤ  ＣＣによるＦＤＤ  ＣＣのためのクロスキャリアスケジューリングがあるとき、クロスサブフレームスケジューリングがそのようなサブフレームに対して有効にされ得る。たとえば、ＴＤＤ  ＣＣのサブフレーム１の中の１つまたは複数の制御チャネルは、そのようなサブフレームにおいてＰＤＳＣＨをスケジューリングし得る。
【００７９】
[0094]確認応答／否定確認応答（ＡＣＫ／ＮＡＫ）フィードバックは、スケジューリングのために使用されるそのようなサブフレーム（たとえば、ＦＤＤ  ＤＬの参照サブフレーム構成におけるアップリンクサブフレーム）のために提供され得る。ＡＣＫ／ＮＡＫフィードバックは、ＦＤＤ  ＤＬの参照サブフレーム構成における１つまたは複数の他のダウンリンクサブフレームのＡＣＫ／ＮＡＫフィードバックとバンドリングされ得る。たとえば、図４のＦＤＤ  ＤＬサブフレーム２に対するＡＣＫ／ＮＡＫは、ＦＤＤ  ＤＬサブフレーム１に対するＡＣＫ／ＮＡＫと時間領域でバンドリングされ得る。
【００８０】
[0095]ＦＤＤ  ＵＬにおけるそのようなサブフレーム、たとえば図４の例のサブフレーム０、１、５、および６では、ＰＵＳＣＨがスケジューリングされ得る。ＴＤＤ  ＣＣによるＦＤＤ  ＣＣのためのクロスキャリアスケジューリングがないとき、ＰＵＳＣＨは、同じＦＤＤ  ＣＣまたは別のＦＤＤ  ＣＣのサブフレーム中の１つまたは複数の制御チャネルによってそのようなサブフレームにおいてスケジューリングされ得る。示される例では、制御チャネル（たとえば、ＰＵＣＣＨ／ＥＰＵＣＣＨ）は、ＦＤＤ  ＵＬのサブフレーム６においてＰＵＳＣＨをスケジューリングするためにＦＤＤ  ＵＬのサブフレーム２において提供され得る。適宜にまたは所望に、ＰＵＳＣＨはそのようなサブフレームにおいて準継続的にスケジューリングされ得る。ＴＤＤ  ＣＣによるＦＤＤ  ＣＣのためのクロスキャリアスケジューリングがあるとき、クロスサブフレームスケジューリング（たとえば、ＰＵＣＣＨ／ＥＰＵＣＣＨに対する）またはクロスサブフレームＨＡＲＱ  ＡＣＫ（たとえば、ＰＨＩＣＨに対する）がそのようなサブフレームに対して有効にされ得る。たとえば、ＴＤＤ  ＣＣのサブフレーム１の中の１つまたは複数の制御チャネルは、ＦＤＤ  ＵＬのサブフレーム６においてＰＵＳＣＨをスケジューリングし得る。代替的に、そのようなスケジューリングはＦＤＤコンポーネントキャリアを介したものであり得る。クロスサブフレームＨＡＲＱ（たとえば、ＡＣＫ／ＮＡＫのバンドリングまたはＰＨＩＣＨリソースプールの増大を介した）が望まれない場合、そのようなサブフレームのためのＰＨＩＣＨを介した非適応ＵＬ再送信をサポートしないことが適切であり得る。
【００８１】
[0096]別の潜在的な欠点は、ＵＥのためのキャリアアグリゲーションにおいてどれだけのＣＣが統合され得るかについての制限があり得ることである。これは、たとえば、ＴＤＤ  ＣＣがＰＣＣでありＦＤＤ  ＣＣがＳＣＣであり、ＴＤＤサブフレーム構成番号５が関与する（たとえば、ＴＤＤ  ＣＣのサブフレーム構成として、またはＦＤＤ  ＣＣの参照ＴＤＤサブフレーム構成として）ときに当てはまり得る。これは、ＴＤＤサブフレーム構成番号５が９対１（９：１）のＤＬ：ＵＬの比を有するからであり得る。したがって、ＡＣＫ／ＮＡＫ空間バンドリングを行っても、特定のＣＣのためにＵＥによってフィードバックされることになる最大で９個のＡＣＫ／ＮＡＫビットが依然としてあり得る。ＡＣＫ／ＮＡＫに対するＰＵＣＣＨフォーマット３は限られた容量（たとえば、リリース１１では最大で２２ビット）を有し得るので、ＴＤＤサブフレーム構成番号５（実際のまたは参照の）を有する最大で２つのＣＣがサポートされ得る。
【００８２】
[0097]この潜在的な欠点は、ＡＣＫ／ＮＡＫの追加のバンドリングによって対処され得る。代替的に、または追加で、並列なＰＵＣＣＨ送信が、たとえば、ＣＣのサブフレームにおけるＵＥによる２つのＰＵＣＣＨフォーマット３の送信を利用することによって、または、２つ以上のＣＣ（たとえば、ＦＤＤ  ＣＣ上でのＰＵＣＣＨフォーマット３の送信およびＴＤＤ  ＣＣ上での別のＰＵＣＣＨフォーマット３の送信）を利用することによってサポートされ得る。
【００８３】
[0098]この潜在的な欠点に対処するためのさらに別の代替形態は、ＦＤＤ  ＣＣのための参照サブフレーム構成としてＴＤＤサブフレーム構成番号５を使用するのを避けることであり得る。このことは、ＵＥのためのキャリアアグリゲーションにおいてより多くのＣＣを統合するのを助け得る。たとえば、ＴＤＤサブフレーム構成番号５（実際のまたは参照の）を各々有する２つのＣＣのアグリゲーションは一般に、ＴＤＤサブフレーム構成番号２（実際のまたは参照の）を各々有する５つのＣＣのアグリゲーションよりも、ＤＬのスループットとＵＬのスループットの両方に対して非効率であり得る。第１のアグリゲーションでは、ＵＥが利用可能な１８個のＤＬサブフレームおよび２つのＵＬサブフレームがある。第２のアグリゲーションでは、ＵＥが利用可能な４０個のＤＬサブフレームおよび１０個のＵＬサブフレームがある。
【００８４】
[0099]上で言及されたように、ＵＥが全複信の能力を有しない場合、ＦＤＤ＋ＴＤＤキャリアアグリゲーションに関して問題が生じ得る。したがって、ＦＤＤ  ＣＣがＰＣＣであるときは特に、ＦＤＤ＋ＴＤＤキャリアアグリゲーションのために半複信ＵＥをサポートする手法が必要とされ得る。そのような場合に半複信ＵＥをサポートするための１つの方法は、スケジューリング決定によるものであり得る。たとえば、半複信ＵＥは、既存の送信／受信条件に基づいて、ＤＬを監視するかどうか、またはＵＬを送信するかどうかを決定することができる。たとえば、ＵＥが定期的にアップリンク信号を送信するように構成される場合（たとえば、定期的なＣＳＩ、ＳＲＳ、ＳＲなど）、対応するＵＬサブフレームはＵＥによってアップリンクサブフレームとして扱われ得る。他のサブフレームに対して、ＵＥは、ＵＥに向けられるＤＬ送信があるかどうかを動的に監視することができる。ＤＬ送信が存在し、ＤＬ送信がＨＡＲＱタイミングに基づくＨＡＲＱフィードバックを必要とする場合、ＨＡＲＱフィードバックのための対応するＵＬサブフレームも、ＵＥによってＵＬサブフレームとして扱われ得る。
【００８５】
[0100]別の手法は、ＦＤＤ  ＣＣのために半複信ＵＥによって使用されるべき参照サブフレーム構成を主体的に決定することであり得る。そのような決定は、明示的なシグナリング（たとえば、ユニキャストまたはブロードキャスト）を介して、または暗黙的なシグナリング（たとえば、導出）を介して行われ得る。
【００８６】
[0101]半複信ＵＥに対する明示的なシグナリングは、使用すべき特定の参照サブフレーム構成を示すことを伴い得る。たとえば、ＦＤＤ  ＣＣのための参照サブフレーム構成がＴＤＤ  ＵＬ／ＤＬ構成１であることを示す信号が半複信ＵＥ（または複数の半複信ＵＥ）に送信されてよく、ＴＤＤ  ＵＬ／ＤＬ構成１は、ＦＤＤ  ＤＬのための６つのＤＬサブフレームとＦＤＤ  ＵＬのための４つのＵＬサブフレームとを提供する。
【００８７】
[0102]半複信ＵＥへの暗黙的なシグナリングは、半複信ＵＥがそのＣＣのうちのＴＤＤ  ＣＣのＴＤＤ  ＵＬ／ＤＬ構成を参照サブフレーム構成として使用することを示すことを伴い得る。たとえば、半複信ＵＥのＣＣのうちのＴＤＤ  ＣＣのＴＤＤ  ＵＬ／ＤＬ構成が使用されるべきであることを示す信号が、半複信ＵＥに（または複数の半複信ＵＥ）に送信され得る。ＴＤＤ  ＵＬ／ＤＬ構成２をもつＴＤＤ  ＣＣを有するＵＥは次いで、ＦＤＤ  ＣＣのための参照サブフレーム構成がＴＤＤ  ＵＬ／ＤＬ構成２であると決定することができ、ＴＤＤ  ＵＬ／ＤＬ構成２は、ＦＤＤ  ＤＬのための８つのＤＬサブフレームとＦＤＤ  ＵＬのための２つのＵＬサブフレームとを提供する。
【００８８】
[0103]半複信ＵＥがキャリアアグリゲーションにおいて複数のＴＤＤ  ＣＣを有する場合、そのような暗黙的な決定はさらに１つまたは複数の他のパラメータに依存し得る。たとえば、いくつかの無線リソース制御（ＲＲＣ）構成は、半複信ＵＥのＦＤＤ  ＣＣのための参照サブフレーム構成が、最小のセルＩＤを有するＴＤＤ  ＣＣのＴＤＤ  ＵＬ／ＤＬ構成であることを示し得る。
【００８９】
[0104]ここで、様々な実施形態によるマルチキャリア通信のためのデバイス５０５のブロック図５００を示す図５を見る。デバイス５０５は、たとえば、図１および／または図３に示されるＵＥ１１５および／または１１５−ａの態様を示し得る。加えて、または代替的に、デバイス５０５は、図１および／または図３を参照して説明された基地局１０５、１０５−ａ、および／または１０５−ｃの態様を示し得る。デバイス５０５は、受信機モジュール５１０と、マルチキャリアサブフレーム構成モジュール５１５と、送信機モジュール５２０とを含み得る。これらのコンポーネントの各々は互いに通信していることがある。いくつかの実施形態では、デバイス５０５はプロセッサであり得る。
【００９０】
[0105]デバイス５０５は、ＴＤＤ  ＣＣとＦＤＤ  ＣＣとを含むＣＡ方式における動作のために構成され得る。マルチキャリアサブフレーム構成モジュール５１５は、本明細書で説明されるように、ＴＤＤ  ＵＬ／ＤＬ構成を決定するように構成され得る。具体的には、マルチキャリアサブフレーム構成モジュール５１５は、ＦＤＤ  ＣＣのための参照サブフレーム構成を決定するように構成され得る。さらに、マルチキャリアサブフレーム構成モジュール５１５は、ＴＤＤ  ＣＣの既存のＴＤＤ  ＵＬ／ＤＬ構成を決定するように構成され得る。したがって、マルチキャリアサブフレーム構成モジュール５１５は、ＴＤＤ  ＵＬ／ＤＬ構成を決定するための手段、および／または参照サブフレーム構成を決定するための手段であり得る。
【００９１】
[0106]いくつかの実施形態では、マルチキャリアサブフレーム構成モジュール５１５はまた、サブフレーム構成における、特殊サブフレーム、ＵＬサブフレーム、および／またはダウンリンクサブフレームを決定または識別するように構成され得る。そのような実施形態では、マルチキャリアサブフレーム構成モジュール５１５は、そのような識別されたサブフレームをどのように扱うかを決定するように、および／または、本明細書で説明される様々な手法に従ってそのような識別されたサブフレームを扱うように構成され得る。したがって、マルチキャリアサブフレーム構成モジュール５１５は、これらの追加の機能／動作を実行するための手段であってよく、たとえば、サブフレーム構成および／もしくはサブフレーム構成のサブフレームの実装ならびに／または使用を管理するための手段であってよい。
【００９２】
[0107]受信機モジュール５１０は、ＵＥから、および／または基地局から、ワイヤレス通信を受信することができる。そのようなワイヤレス通信は、マルチキャリアサブフレーム構成モジュール５１５によって決定および／または管理される、ＴＤＤ  ＵＬ／ＤＬ構成および／または参照サブフレーム構成に従って受信され得る。いくつかの実施形態では、受信機モジュール５１０はまた、使用すべきＴＤＤ  ＵＬ／ＤＬ構成および／または参照サブフレーム構成を示す信号を受信するように構成され得る。したがって、受信機モジュール５１０は、本明細書で説明されるように通信および／または信号を受信するための手段であり得る。
【００９３】
[0108]送信機モジュール５２０は、ＵＥに、および／または基地局に、ワイヤレス通信を送信することができる。そのようなワイヤレス通信は、マルチキャリアサブフレーム構成モジュール５１５によって決定および／または管理される、ＴＤＤ  ＵＬ／ＤＬ構成および／または参照サブフレーム構成に従って送信され得る。いくつかの実施形態では、送信機モジュール５２０はまた、使用すべきＴＤＤ  ＵＬ／ＤＬ構成および／または参照サブフレーム構成を示す信号を送信するように構成され得る。したがって、送信機モジュール５２０は、本明細書で説明されるように通信および／または信号を送信するための手段であり得る。単独で、または他のモジュールと組み合わせて、受信機モジュール５１０および／または送信機モジュール５２０は、１つまたは複数の参照サブフレーム構成に従ってＦＤＤキャリア上で通信するための手段であり得る。同様に、単独で、または他のモジュールと組み合わせて、受信機モジュール５１０および／または送信機モジュール５２０は、ＴＤＤ  ＵＬ／ＤＬ構成に従ってＴＤＤキャリア上で通信するための手段であり得る。
【００９４】
[0109]次に、図６は、様々な実施形態によるマルチキャリア通信のためのデバイス５０５−ａのブロック図６００を示す。デバイス５０５−ａは、たとえば、図１および／または図３に示されるＵＥ１１５および／または１１５−ａの態様を示し得る。いくつかの場合、デバイス５０５−ａは、図１および／または図３を参照して説明された基地局１０５、１０５−ａ、および／または１０５−ｂの態様を示す。デバイス５０５−ａは、受信機モジュール５１０−ａと、マルチキャリアサブフレーム構成モジュール５１５−ａと、スケジューリングモジュール６２０と、送信機モジュール５２０−ａとを含み得る。これらのコンポーネントの各々は互いに通信していてよく、各々は図５に示される対応するモジュールと実質的に同じ機能を実行してよい。いくつかの実施形態によれば、デバイス５０５−ａはプロセッサであり得る。
【００９５】
[0110]マルチキャリアサブフレーム構成モジュール５１５−ａは、ＦＤＤアップリンク／ダウンリンク構成決定モジュール６０５、ＴＤＤ構成決定モジュール６１０、および一次的／二次的キャリア決定モジュール６１５によって構成され得る。これらのモジュールは、単独で、または組合せで、本明細書で説明される様々な機能を実行するための手段であり得る。たとえば、ＦＤＤアップリンク／ダウンリンク構成モジュール６０５は、ＦＤＤ  ＣＣのための参照サブフレーム構成を決定するように構成され得る。いくつかの実施形態では、ＦＤＤアップリンク／ダウンリンク構成決定モジュール６０５は、ＦＤＤ  ＤＬのための第１の参照サブフレーム構成を決定し、ＦＤＤ  ＵＬのための第２の参照サブフレーム構成を決定するように構成され得る。
【００９６】
[0111]ＴＤＤ構成決定モジュール６１０は、ＴＤＤ  ＣＣのためのＴＤＤ  ＵＬ／ＤＬサブフレーム構成を決定するように構成され得る。一次的／二次的キャリア決定モジュール６１５は、ＴＤＤ  ＣＣまたはＦＤＤ  ＣＣが所与の実装形態に対するＰＣＣであるかどうかを決定するように構成され得る。したがって、一次的／二次的キャリア決定モジュール６１５はまた、その所与の実装形態に対する他のＣＣをＳＣＣであるものとして決定することができる。
【００９７】
[0112]スケジューリングモジュール６２０は、デバイス５０５−ａのための通信（たとえば、送信および受信）のスケジューリングを実行するために、受信機モジュール５１０−ａ、マルチキャリアサブフレーム構成モジュール５１５−ａ、および送信機モジュール５２０−ａと協調して動作することができる。いくつかの実施形態では、スケジューリングモジュール６２０は、ＤＬ受信に利用可能ではない、および／またはＵＬ送信に利用可能ではないサブフレームを利用するように構成され得る。したがって、スケジューリングモジュール６２０はまた、本明細書で説明されるようにスケジューリングを実行するように構成され得る。したがって、スケジューリングモジュール６２０は、スケジューリングのためにアップリンクサブフレームおよび／またはダウンリンクサブフレームを使用するための手段であってよく、また、ＡＣＫ／ＮＡＫフィードバックを提供および／またはバンドリングするための手段であってよい。
【００９８】
[0113]デバイス５０５および５０５−ａのコンポーネントは、個別にまたは集合的に、ハードウェア中の適用可能な機能のいくつかまたはすべてを実行するように適合された１つまたは複数の特定用途向け集積回路（ＡＳＩＣ）によって実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【００９９】
[0114]ここで図７、すなわち、様々な実施形態によるマルチキャリア通信のために構成されたＵＥ１１５−ｂのブロック図７００を見る。ＵＥ１１５−ｂは、パーソナルコンピュータ（たとえば、ラップトップコンピュータ、ネットブックコンピュータ、タブレットコンピュータなど）、携帯電話、ＰＤＡ、スマートフォン、デジタルビデオレコーダ（ＤＶＲ）、インターネットアプライアンス、ゲームコンソール、電子リーダーなどのような、様々な構成のいずれかを有し得る。ＵＥ１１５−ｂは、モバイル動作を容易にするために、小型バッテリーなどの内部電源（図示されず）を有し得る。いくつかの実施形態では、ＵＥ１１５−ｂは、図１および／または図３のＵＥ１１５および／または１１５−ａであり得る。
【０１００】
[0115]ＵＥ１１５−ｂは、一般に、通信を送信するためのコンポーネントと通信を受信するためのコンポーネントとを含む、双方向の音声およびデータ通信のためのコンポーネントを含み得る。ＵＥ１１５−ｂは、（たとえば、１つまたは複数のバスを介して）直接または間接的に各々互いに通信し得る、送受信機モジュール７１０と、アンテナ７３５と、メモリ７８０と、プロセッサモジュール７７０とを含み得る。送受信機モジュール７１０は、上で説明されたように、１つまたは複数のネットワークと、アンテナ７３５および／または１つもしくは複数の有線リンクもしくはワイヤレスリンクを介して、双方向に通信するように構成され得る。たとえば、送受信機モジュール７１０は、図１および／または図３の基地局１０５、１０５−ａ、および／または１０５−ｂと双方向に通信するように構成され得る。送受信機モジュール７１０は、パケットを変調し、変調されたパケットを送信のために（１つまたは複数の）アンテナ７３５に与え、（１つまたは複数の）アンテナ７３５から受信されたパケットを復調するように構成されたモデムを含み得る。ＵＥ１１５−ｂは単一のアンテナ７３５を含み得るが、ＵＥ１１５−ｂは、複数のワイヤレス送信を同時に送信および／または受信することが可能な複数のアンテナ７３５を有し得る。送受信機モジュール７１０は、複数のコンポーネントキャリアを介して複数の基地局１０５と同時に通信することが可能であり得る。
【０１０１】
[0116]メモリ７８０は、ランダムアクセスメモリ（ＲＡＭ）と読取り専用メモリ（ＲＯＭ）とを含み得る。メモリ７８０は、実行されると、プロセッサモジュール７７０に、本明細書で説明される様々な機能（たとえば、決定、通信、識別、取扱い、省略、使用、スケジューリング、信号処理、管理、提供、バンドリングなど）を実行させるように構成された命令を含む、コンピュータ可読、コンピュータ実行可能ソフトウェア／ファームウェアコード７８５を記憶し得る。代替的に、コンピュータ可読ソフトウェア／ファームウェアコード７８５は、プロセッサモジュール７７０によって直接的に実行可能ではないことがあるが、（たとえば、コンパイルされ実行されると）コンピュータに本明細書で説明される機能を実行させるように構成され得る。
【０１０２】
[0117]プロセッサモジュール７７０は、インテリジェントハードウェアデバイス、たとえば、中央処理ユニット（ＣＰＵ）、マイクロコントローラ、特定用途向け集積回路（ＡＳＩＣ）などを含み得る。ＵＥ１１５−ｂは、マイクロフォンを介してオーディオを受信し、そのオーディオを、受信されたオーディオを表す（たとえば、長さ２０ｍｓ、長さ３０ｍｓなどの）パケットに変換し、そのオーディオパケットを送受信機モジュール７１０に与え、ユーザが話しているかどうかの指示を与えるように構成された、音声エンコーダ（図示されず）を含み得る。
【０１０３】
[0118]図７のアーキテクチャによれば、ＵＥ１１５−ｂはさらに、マルチキャリアサブフレーム構成モジュール５１５−ｂを含んでよく、マルチキャリアサブフレーム構成モジュール５１５−ｂは、図５および／または図６のマルチキャリアサブフレーム構成モジュール５１５および／または５１５−ａと実質的に同じであり得る。いくつかの場合には、マルチキャリアサブフレーム構成モジュール５１５−ｂは、図６のモジュール６０５、６１０、および／または６１５の機能を実行するように構成され得る。例として、マルチキャリアサブフレーム構成モジュール５１５−ｂは、バス７７５を介してＵＥ１１５−ｂの他のコンポーネントのいくつかまたはすべてと通信しているＵＥ１１５−ｂのコンポーネントであってよい。代替的に、これらのモジュールの機能は、送受信機モジュール７１０のコンポーネントとして、コンピュータプログラム製品として、および／またはプロセッサモジュール７７０の１つもしくは複数のコントローラ要素として実装され得る。
【０１０４】
[0119]ＵＥ１１５−ｂは、本明細書で説明されるようなマルチキャリアスケジューリングを実行するように構成されてよく、そのような機能／動作を実行するためのスケジューリングモジュール６２０−ａを含んでよい。ＵＥ１１５−ｂのためのコンポーネントは、図１および／もしくは図３のＵＥ１１５および／もしくは１１５−ａ、ならびに／または、図５および／もしくは図６のデバイス５０５および／もしくは５０５−ａに関して上で論じられた態様を実装するように構成され得る。たとえば、ＵＥ１１５−ｂは、ＦＤＤ  ＣＣのための参照サブフレーム構成を決定するように構成され得る。
【０１０５】
[0120]図８は、様々な実施形態による、マルチキャリア通信のために構成され得るワイヤレス通信システム８００のブロック図を示す。このワイヤレス通信システム８００は、図１および／または図３に示されたワイヤレス通信システム１００および／または３００の態様の例であり得る。ワイヤレス通信システム８００は、ワイヤレス通信リンク１２５を通じたＵＥ１１５（たとえば、ＵＥ１１５−ｃおよび１１５−ｄ）との通信のために構成された基地局１０５−ｃを含み得る。基地局１０５−ｃは、他の基地局（図示されず）からの通信リンクを受信することが可能であり得る。基地局１０５−ｃは、たとえば、図１および／または図３を参照して説明されたワイヤレス通信システム１００および／または３００において示されるような基地局１０５、１０５−ａ、および／または１０５−ｂであり得る。
【０１０６】
[0121]いくつかの場合、基地局１０５−ｃは、１つまたは複数の有線バックホールリンクを有し得る。基地局１０５−ｃは、たとえば、コアネットワーク１３０−ａへの有線バックホールリンク（たとえば、Ｓ１インターフェースなど）を有するマクロ基地局１０５であり得る。基地局１０５−ｃはまた、基地局間の通信リンク（たとえば、Ｘ２インターフェースなど）を介して、基地局１０５−ｄおよび基地局１０５−ｄのような他の基地局と通信することができる。基地局１０５の各々は、同じまたは異なるワイヤレス通信技術を使用して、ＵＥ１１５と通信することができる。いくつかの場合には、基地局１０５−ｃは、基地局通信モジュール８１５を利用して、１０５−ｄおよび／または１０５−ｅなどの他の基地局と通信することができる。いくつかの実施形態では、基地局通信モジュール８１５は、基地局１０５のいくつかの間の通信を行うために、ＬＴＥ／ＬＴＥ−Ａワイヤレス通信ネットワーク技術内でＸ２インターフェースを提供することができる。いくつか実施形態では、基地局１０５−ｃは、コアネットワーク１３０−ａを通じて他の基地局と通信することができる。いくつかの場合、基地局１０５−ｃは、ネットワーク通信モジュール８６５を通じてコアネットワーク１３０−ａと通信することができる。
【０１０７】
[0122]基地局１０５−ｃのためのコンポーネントは、図１および／もしくは図３の基地局１０５、１０５−ａ、および／もしくは１０５−ｂ、ならびに／または、図５および／もしくは図６のデバイス５０５および／もしくは５０５−ａに関して上で論じられた態様を実装するように構成されてよく、それらはここでは簡潔のために繰り返されないことがある。たとえば、基地局１０５−ｃは、ＦＤＤ  ＣＣのための参照サブフレーム構成を決定するように構成され得る。
【０１０８】
[0123]基地局１０５−ｃは、アンテナ８４５と、送受信機モジュール８５０と、メモリ８７０と、プロセッサモジュール８６０とを含んでよく、それらの各々は、（たとえば、バスシステム８８０を通じて）互いに直接または間接的に通信していることがある。送受信機モジュール８５０は、アンテナ８４５を介して、マルチモードデバイスであり得るＵＥ１１５と双方向に通信するように構成され得る。送受信機モジュール８５０（および／または基地局１０５−ｃの他のコンポーネント）は、１つまたは複数の他の基地局と、アンテナ８４５を介して双方向に通信するようにも構成され得る。送受信機モジュール８５０は、パケットを変調し、変調されたパケットを送信のためにアンテナ８４５に与え、アンテナ８４５から受信されたパケットを復調するように構成されたモデムを含み得る。基地局１０５−ｃは、各々が１つまたは複数の関連付けられたアンテナ８４５をもつ複数の送受信機モジュール８５０を含み得る。
【０１０９】
[0124]メモリ８７０は、ランダムアクセスメモリ（ＲＡＭ）と読取り専用メモリ（ＲＯＭ）とを含み得る。メモリ８７０はまた、実行されると、プロセッサモジュール８６０に、本明細書で説明される様々な機能（たとえば、決定、通信、識別、取扱い、省略、使用、スケジューリング、信号処理、管理、提供、バンドリングなど）を実行させるように構成された命令を含む、コンピュータ可読、コンピュータ実行可能ソフトウェア／ファームウェアコード８７５を記憶し得る。代替的に、コンピュータ実行可能ソフトウェアコード８７５は、プロセッサモジュール８６０によって直接的に実行可能ではないが、たとえば、コンパイルされ実行されると、本明細書で説明された機能をコンピュータに実行させるように構成されることがある。
【０１１０】
[0125]プロセッサモジュール８６０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール８６０は、たとえばエンコーダ、キュー処理モジュール、ベースバンドプロセッサ、無線ヘッドコントローラ、デジタル信号プロセッサ（ＤＳＰ）などのような、様々な専用プロセッサを含み得る。
【０１１１】
[0126]図８のアーキテクチャによれば、基地局１０５ｃは通信管理モジュール８４０をさらに含み得る。通信管理モジュール８４０は、ＵＥおよび他の基地局１０５との通信を管理し得る。通信管理モジュール８４０は、他の基地局１０５と協調して、ＵＥ１１５との通信を制御するためのコントローラおよび／またはスケジューラを含み得る。たとえば、通信管理モジュール８４０は、ＵＥ１１５への送信のためのスケジューリング、ならびに／または、ビームフォーミングおよび／もしくはジョイント送信のような様々な干渉軽減技法を実行することができる。
【０１１２】
[0127]加えて、または代替的に、基地局１０５−ｃはマルチキャリアサブフレーム構成モジュール５１５−ｃを含んでよく、マルチキャリアサブフレーム構成モジュール５１５−ｃは、図５、図６、および／または図７のモジュール５１５、５１５−ａ、および／または５１５−ｂと実質的に同じように構成され得る。いくつかの場合には、マルチキャリアサブフレーム構成モジュール５１５−ｃは、図６のモジュール６０５、６１０、および／または６１５の機能を実行するように構成され得る。いくつかの実施形態では、マルチキャリアサブフレーム構成モジュール５１５−ｃは、バスを介して基地局１０５−ｃの他のコンポーネントのいくつかまたはすべてと通信している基地局１０５−ｃのコンポーネントである。代替的に、マルチキャリアサブフレーム構成モジュール５１５−ｃの機能は、送受信機モジュール８５０のコンポーネントとして、コンピュータプログラム製品として、プロセッサモジュール８６０の１つまたは複数のコントローラ要素として、および／または、通信管理モジュール８４０の要素として実装され得る。
【０１１３】
[0128]基地局１０５−ｃは、本明細書で説明されるようなマルチキャリアスケジューリングを実行するように構成されてよく、そのような機能／動作を実行するためのスケジューリングモジュール６２０−ｂを含んでよい。そのような機能はまた、プロセッサモジュール８６０、メモリ８７０、および／または送受信機モジュール８５０のような様々な他のモジュールによって、単独でまたは組み合わせて実行され得る。
【０１１４】
[0129]次に、図９は、様々な実施形態によるマルチキャリア通信のための方法９００の例を示すフローチャートを示す。方法９００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。
【０１１５】
[0130]ブロック９０５において、方法は、少なくとも１つのＦＤＤコンポーネントキャリアのダウンリンクのための第１の参照サブフレーム構成を決定することを含み得る。ブロック９０５の動作は、いくつかの実施形態では、図５、図６、図７、および／または図８のマルチキャリアサブフレーム構成モジュール５１５、５１５−ａ、５１５−ｂ、および／または５１５−ｃによって実行され得る。いくつかの実施形態では、第１の参照サブフレーム構成は、ＴＤＤ  ＵＬ／ＤＬ構成の既存のセットの１つである。
【０１１６】
[0131]ブロック９１０において、方法は、少なくとも１つのＦＤＤコンポーネントキャリアのアップリンクのための第２の参照サブフレーム構成を決定することを伴い得る。ブロック９１０の動作はまた、図５、図６、図７、および／または図８のマルチキャリアサブフレーム構成モジュール５１５、５１５−ａ、５１５ｂ、および／または５１５−ｃによって実行され得る。いくつかの実施形態では、第２の参照サブフレーム構成は、ＴＤＤ  ＵＬ／ＤＬ構成の既存のセットの１つである。さらに、第２の参照サブフレーム構成は、第１の参照サブフレーム構成と同じであってよく、または異なっていてよい。
【０１１７】
[0132]ブロック９１５において、方法は、決定された第１の参照サブフレーム構成および第２の参照サブフレーム構成に従って、それぞれのダウンリンク方向およびアップリンク方向に、少なくとも１つのＦＤＤコンポーネントキャリア上で通信することを伴い得る。少なくとも１つのＦＤＤコンポーネントキャリア上で通信することは、第１の参照サブフレーム構成または第２の参照サブフレーム構成に基づいて、ハイブリッド自動再送要求（ＨＡＲＱ）タイミングまたはスケジューリングタイミングの少なくとも１つを決定することを含み得る。いくつかの例では、ＨＡＲＱタイミングは、物理ダウンリンク共有チャネル（ＰＤＳＣＨ）送信または物理アップリンク共有チャネル（ＰＵＳＣＨ）送信と対応するＡＣＫ／ＮＡＫメッセージとの間のタイミングを指し得る。スケジューリングタイミングは、物理ダウンリンク制御チャネル（ＰＤＣＣＨ）または増強された（enhanced）／進化した(evolved)ＰＤＣＣＨ（ＥＰＤＣＣＨ）とＰＤＳＣＨまたはＰＵＳＣＨとの間のタイミングを指し得る。ブロック９１５の動作は、様々な実施形態において、図５および／もしくは図６の受信機モジュール５１０および／もしくは５１０−ａ、図５および／もしくは図６の送信機モジュール５２０および／もしくは５２０−ａ、ならびに／または、図７および／もしくは図８の送受信機モジュール７１０および／もしくは８５０によって実行され得る。
【０１１８】
[0133]次に、図１０は、様々な実施形態によるマルチキャリア通信のための方法１０００の別の例を示すフローチャートを示す。方法１０００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。
【０１１９】
[0134]ブロック１００５において、方法は、少なくとも１つのＴＤＤコンポーネントキャリアを一次的コンポーネントキャリアとして決定し、少なくとも１つのＦＤＤコンポーネントキャリアを二次的コンポーネントキャリアとして決定することを含み得る。ブロック１００５の動作は、いくつかの実施形態では、図５、図６、図７、および／または図８のマルチキャリアサブフレーム構成モジュール５１５、５１５−ａ、５１５−ｂ、および／または５１５−ｃによって実行され得る。具体的には、ブロック１００５の動作は、図６のマルチキャリアサブフレーム構成モジュール５１５−ａの一次的／二次的キャリア決定モジュール６１５によって実行され得る。いくつかの実施形態では、ブロック１００５において行われる決定は、方法のさらなる動作が実行されるべきかどうかを決定するために使用され得る。上で述べられたように、たとえば、本明細書で説明される様々な手法は、ＴＤＤコンポーネントキャリアがＰＣＣであるときに有用であり得る。
【０１２０】
[0135]ブロック１０１０において、方法は、少なくとも１つのＦＤＤコンポーネントキャリアのダウンリンクのための第１の参照サブフレーム構成を決定することを伴い得る。ブロック１０１５において、方法は、少なくとも１つのＦＤＤコンポーネントキャリアのアップリンクのための第２の参照サブフレーム構成を決定することを伴い得る。ブロック１０２０において、方法は、決定された第１の参照サブフレーム構成および第２の参照サブフレーム構成に従って、それぞれのダウンリンク方向およびアップリンク方向に、少なくとも１つのＦＤＤコンポーネントキャリア上で通信することを含み得る。少なくとも１つのＦＤＤコンポーネントキャリア上で通信することは、第１の参照サブフレーム構成または第２の参照サブフレーム構成に基づいて、ハイブリッド自動再送要求（ＨＡＲＱ）タイミングまたはスケジューリングタイミングの少なくとも１つを決定することを含み得る。いくつかの例では、ＨＡＲＱタイミングは、物理ダウンリンク共有チャネル（ＰＤＳＣＨ）送信または物理アップリンク共有チャネル（ＰＵＳＣＨ）送信と対応するＡＣＫ／ＮＡＫメッセージとの間のタイミングを指し得る。スケジューリングタイミングは、物理ダウンリンク制御チャネル（ＰＤＣＣＨ）または増強された／進化したＰＤＣＣＨ（ＥＰＤＣＣＨ）とＰＤＳＣＨまたはＰＵＳＣＨとの間のタイミングを指し得る。これらの動作は、実質的に、たとえば図９に関して上で説明されたように実行され得る。
【０１２１】
[0136]図１１は、様々な実施形態によるマルチキャリア通信のための方法１１００の別の例を示すフローチャートを示す。方法１１００は、図１、図３、図７、および／もしくは図８の基地局１０５、１０５−ａ、１０５−ｂ、１０５−ｃ、および／もしくはＵＥ１１５、１１５−ａ、１１５−ｂ、１１５−ｃによって、ならびに／または、図５および／もしくは図６のデバイス５０５および／もしくは５０５−ａによって実施され得る。さらに、方法１１００は、図９および／または図１０にそれぞれ示される方法９００および／または１０００のような、本明細書で説明される様々な他の方法とともに利用され得る。
【０１２２】
[0137]ブロック１１０５において、方法は、少なくとも１つのＴＤＤコンポーネントキャリアのためのＴＤＤ  ＵＬ／ＤＬサブフレーム構成を決定することを含み得る。ブロック１１０５の動作は、いくつかの実施形態では、図５、図６、図７、および／または図８のマルチキャリアサブフレーム構成モジュール５１５、５１５−ａ、５１５ｂ、および／または５１５−ｃによって実行され得る。具体的には、ブロック１１０５の動作は、図６のマルチキャリアサブフレーム構成モジュール５１５−ａのＴＤＤ構成決定モジュール６１０によって実行され得る。
【０１２３】
[0138]ブロック１１１０において、方法は、ブロック１１０５において決定された少なくとも１つのＴＤＤコンポーネントキャリアのＴＤＤ  ＵＬ／ＤＬサブフレーム構成に基づいて、少なくとも１つのＦＤＤコンポーネントキャリアのダウンリンクのための第１の参照サブフレーム構成を決定することを伴い得る。ブロック１１１５において、方法は、ブロック１１０５において決定された少なくとも１つのＴＤＤコンポーネントキャリアのＴＤＤ  ＵＬ／ＤＬサブフレーム構成に基づいて、少なくとも１つのＦＤＤコンポーネントキャリアのアップリンクのための第２の参照サブフレーム構成を決定することを伴い得る。いくつかの実施形態では、ブロック１１１０の動作は、ブロック１１０５において決定された少なくとも１つのＴＤＤコンポーネントキャリアのＴＤＤ  ＵＬ／ＤＬサブフレーム構成と同じである第１の参照サブフレーム構成を決定するために実行され得る。
【０１２４】
[0139]図１２は、様々な実施形態によるマルチキャリア通信のための方法１２００の別の例を示すフローチャートを示す。方法１２００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。さらに、方法１２００は、図９、図１０、および／または図１１にそれぞれ示される方法９００、１０００、および／または１１００のような、本明細書で説明される様々な他の方法とともに利用され得る。
【０１２５】
[0140]ブロック１２０５において、方法は、第１の参照サブフレーム構成における少なくとも１つの特殊サブフレームを識別することを含み得る。ブロック１２０５の動作は、いくつかの実施形態では、図５、図６、図７、および／または図８のマルチキャリアサブフレーム構成モジュール５１５、５１５−ａ、５１５−ｂ、および／または５１５−ｃによって実行され得る。
【０１２６】
[0141]ブロック１２１０において、方法は、ブロック１２０５において識別された少なくとも１つの特殊サブフレームがどのように扱われるべきかについての決定（ｄｅｔｅｒｍｉｎａｔｉｏｎ）または決定（ｄｅｃｉｓｉｏｎ）を行うことを伴い得る。ブロック１２１０における決定（ｄｅｔｅｒｍｉｎａｔｉｏｎ）／決定（ｄｅｃｉｓｉｏｎ）の１つの結果は、ブロック１２１５に進むことであり得る。ブロック１２１５において、方法は、少なくとも１つの識別された特殊サブフレームを通常のダウンリンクサブフレームとして扱うことを伴い得る。代替的に、ブロック１２１０における決定（ｄｅｔｅｒｍｉｎａｔｉｏｎ）／決定（ｄｅｃｉｓｉｏｎ）の別の結果は、ブロック１２２０に進むことであり得る。ブロック１２２０において、方法は、上で説明されたように、少なくとも１つの識別された特殊サブフレームを特殊サブフレームとして扱うことを伴い得る。ブロック１２１０における決定（ｄｅｔｅｒｍｉｎａｔｉｏｎ）／決定（ｄｅｃｉｓｉｏｎ）のさらに別の結果は、ブロック１２２５に進むことであり得る。ブロック１２２５において、方法は、ダウンリンク受信について、少なくとも１つの識別された特殊サブフレームを省略する（omit）ことを伴い得る。ブロック１２１０、１２１５、１２２０、および１２２５の動作の各々は、いくつかの実施形態では、図５、図６、図７、および／または図８のマルチキャリアサブフレーム構成モジュール５１５、５１５−ａ、５１５−ｂ、および／または５１５−ｃによって実行され得る。
【０１２７】
[0142]図１３は、様々な実施形態によるマルチキャリア通信のための方法１３００の別の例を示すフローチャートを示す。方法１３００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。さらに、方法１３００は、図９、図１０、図１１、および／または図１２にそれぞれ示される方法９００、１０００、１１００、および／または１２００のような、本明細書で説明される様々な他の方法とともに利用され得る。
【０１２８】
[0143]ブロック１３０５において、方法は、第２の参照サブフレーム構成における少なくとも１つの特殊サブフレームを識別することを含み得る。ブロック１３０５の動作は、いくつかの実施形態では、図５、図６、図７、および／または図８のマルチキャリアサブフレーム構成モジュール５１５、５１５−ａ、５１５−ｂ、および／または５１５−ｃによって実行され得る。
【０１２９】
[0144]ブロック１３１０において、方法は、ブロック１３０５において識別された少なくとも１つの特殊サブフレームがどのように扱われるべきかについての決定（ｄｅｔｅｒｍｉｎａｔｉｏｎ）または決定（ｄｅｃｉｓｉｏｎ）を行うことを伴い得る。ブロック１３１０における決定（ｄｅｔｅｒｍｉｎａｔｉｏｎ）／決定（ｄｅｃｉｓｉｏｎ）の１つの結果は、ブロック１３１５に進むことであり得る。ブロック１３１５において、方法は、少なくとも１つの識別された特殊サブフレームを通常のアップリンクサブフレームとして扱うことを伴い得る。代替的に、ブロック１３１０における決定（ｄｅｔｅｒｍｉｎａｔｉｏｎ）／決定（ｄｅｃｉｓｉｏｎ）の別の結果は、ブロック１３２０に進むことであり得る。ブロック１３２０において、方法は、上で説明されたように、少なくとも１つの識別された特殊サブフレームを特殊サブフレームとして扱うことを伴い得る。代替的に、ブロック１３１０における決定（ｄｅｔｅｒｍｉｎａｔｉｏｎ）／決定（ｄｅｃｉｓｉｏｎ）の別の結果は、ブロック１３２５に進むことであり得る。ブロック１３２５において、方法は、アップリンク送信について、少なくとも１つの識別された特殊サブフレームを省略する（omit）ことを伴い得る。ブロック１３１０、１３１５、１３２０、および１３２５の動作の各々は、いくつかの実施形態では、図５、図６、図７、および／または図８のマルチキャリアサブフレーム構成モジュール５１５、５１５−ａ、５１５−ｂ、および／または５１５−ｃによって実行され得る。
【０１３０】
[0145]図１４は、様々な実施形態によるマルチキャリア通信のための方法１４００の別の例を示すフローチャートを示す。方法１４００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。さらに、方法１４００は、図９、図１０、図１１、図１２、および／または図１３にそれぞれ示される方法９００、１０００、１１００、１２００、および／または１３００のような、本明細書で説明される様々な他の方法とともに利用され得る。
【０１３１】
[0146]ブロック１４０５において、方法は、第１の参照サブフレーム構成における少なくとも１つのダウンリンクサブフレームを識別することを含み得る。ブロック１４０５の動作は、いくつかの実施形態では、図５、図６、図７、および／または図８のマルチキャリアサブフレーム構成モジュール５１５、５１５−ａ、５１５−ｂ、および／または５１５−ｃによって実行され得る。具体的には、ブロック１１０５の動作は、図６のマルチキャリアサブフレーム構成モジュール５１５−ａのＦＤＤアップリンク／ダウンリンク構成決定モジュール６０５によって実行され得る。
【０１３２】
[0147]ブロック１４１０において、方法は、ブロック１４０５において識別された少なくとも１つのダウンリンクサブフレームをスケジューリングのために使用することを伴い得る。ブロック１４１０の動作は、いくつかの実施形態では、図６、図７、および／または図８のスケジューリングモジュール６２０、６２０−ａ、および／または６２０−ｂによってそれぞれ実行され得る。具体的には、ブロック１４１０において実行されるスケジューリング動作は、本明細書で説明される様々なスケジューリング機能を実施し得る。
【０１３３】
[0148]ブロック１４１５において、方法は、少なくとも１つの識別されたダウンリンクサブフレームに対するＡＣＫ／ＮＡＫフィードバックを提供することを伴い得る。当該ＡＣＫ／ＮＡＫフィードバックは、参照サブフレーム構成の少なくとも１つのダウンリンクサブフレーム部分に対するＡＣＫ／ＮＡＫフィードバックとともに、同じアップリンクサブフレームにおいて提供され得る。ブロック１４２０において、方法は、ブロック１４１５において提供されるＡＣＫ／ＮＡＫフィードバックを、第１の参照サブフレーム構成における少なくとも１つの他のダウンリンクサブフレームのＡＣＫ／ＮＡＫフィードバックとバンドリングすることを伴い得る。ブロック１４１５および／または１４２０の動作は、いくつかの実施形態では、図６、図７、および／または図８のスケジューリングモジュール６２０、６２０−ａ、および／または６２０−ｂによってそれぞれ実行され得る。
【０１３４】
[0149]図１５は、様々な実施形態によるマルチキャリア通信のための方法１５００の別の例を示すフローチャートを示す。方法１５００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。さらに、方法１５００は、図９、図１０、図１１、図１２、図１３、および／または図１４にそれぞれ示される方法９００、１０００、１１００、１２００、１３００、および／または１４００のような、本明細書で説明される様々な他の方法とともに利用され得る。
【０１３５】
[0150]ブロック１５０５において、方法は、第２の参照サブフレーム構成における少なくとも１つのダウンリンクサブフレームを識別することを含み得る。ブロック１５０５の動作は、いくつかの実施形態では、図５、図６、図７、および／または図８のマルチキャリアサブフレーム構成モジュール５１５、５１５−ａ、５１５−ｂ、および／または５１５−ｃによって実行され得る。具体的には、ブロック１５０５の動作は、図６のマルチキャリアサブフレーム構成モジュール５１５−ａのＦＤＤアップリンク／ダウンリンク構成決定モジュール６０５によって実行され得る。
【０１３６】
[0151]ブロック１５１０において、方法は、ブロック１５０５において識別された少なくとも１つのダウンリンクサブフレームをスケジューリングのために使用することを伴い得る。ブロック１５１０の動作は、いくつかの実施形態では、図６、図７、および／または図８のスケジューリングモジュール６２０、６２０−ａ、および／または６２０−ｂによってそれぞれ実行され得る。具体的には、ブロック１５１０において実行されるスケジューリング動作は、本明細書で説明される様々なスケジューリング機能を実施し得る。
【０１３７】
[0152]図１６は、様々な実施形態によるマルチキャリア通信のための方法１６００の例を示すフローチャートを示す。方法１６００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。
【０１３８】
[0153]ブロック１６０５において、方法は、少なくとも１つのＦＤＤコンポーネントキャリアのための参照サブフレーム構成を決定することを伴い得る。ブロック１６０５の動作は、いくつかの実施形態では、図５、図６、図７、および／または図８のマルチキャリアサブフレーム構成モジュール５１５、５１５−ａ、５１５ｂ、および／または５１５−ｃによって実行され得る。いくつかの実施形態では、参照サブフレーム構成は、ＴＤＤ  ＵＬ／ＤＬ構成の既存のセットの１つである。
【０１３９】
[0154]ブロック１６１０において、方法は、決定された参照サブフレーム構成に従って、少なくとも１つのＦＤＤコンポーネントキャリア上で通信することを伴い得る。少なくとも１つのＦＤＤコンポーネントキャリア上で通信することは、参照サブフレーム構成に基づいて、ハイブリッド自動再送要求（ＨＡＲＱ）タイミングまたはスケジューリングタイミングの少なくとも１つを決定することを含み得る。いくつかの例では、ＨＡＲＱタイミングは、物理ダウンリンク共有チャネル（ＰＤＳＣＨ）送信または物理アップリンク共有チャネル（ＰＵＳＣＨ）送信と対応するＡＣＫ／ＮＡＫメッセージとの間のタイミングを指し得る。スケジューリングタイミングは、物理ダウンリンク制御チャネル（ＰＤＣＣＨ）または増強された／進化したＰＤＣＣＨ（ＥＰＤＣＣＨ）とＰＤＳＣＨまたはＰＵＳＣＨとの間のタイミングを指し得る。ブロック１６１０の動作は、様々な実施形態において、図５および／もしくは図６の受信機モジュール５１０および／もしくは５１０−ａ、図５および／もしくは図６の送信機モジュール５２０および／もしくは５２０−ａ、ならびに／または、図７および／もしくは図８の送受信機モジュール７１０および／もしくは８５０によって実行され得る。
【０１４０】
[0155]図１７は、様々な実施形態によるマルチキャリア通信のための方法１７００の例を示すフローチャートを示す。方法１７００は、図１、図３、図７、および／もしくは図８の基地局１０５、１０５−ａ、１０５−ｂ、１０５−ｃおよび／もしくはＵＥ１１５、１１５−ａ、１１５−ｂ、１１５−ｃによって、ならびに／または、図５および／もしくは図６のデバイス５０５および／もしくは５０５−ａによって実施され得る。さらに、方法１７００は、図１６に示される方法１６００のような、本明細書で説明される様々な他の方法とともに利用され得る。
【０１４１】
[0156]ブロック１７０５において、方法は、少なくとも１つのＴＤＤコンポーネントキャリアのためのＴＤＤ  ＵＬ／ＤＬサブフレーム構成を決定することを伴い得る。ブロック１７０５の動作は、いくつかの実施形態では、図５、図６、図７、および／または図８のマルチキャリアサブフレーム構成モジュール５１５、５１５−ａ、５１５−ｂ、および／または５１５−ｃによって実行され得る。具体的には、ブロック１７０５の動作は、図６のマルチキャリアサブフレーム構成モジュール５１５−ａのＴＤＤ構成決定モジュール６１０によって実行され得る。
【０１４２】
[0157]ブロック１７１０において、方法は、ブロック１７０５において決定されたＴＤＤ  ＵＬ／ＤＬサブフレーム構成に基づいて、少なくとも１つのＦＤＤコンポーネントキャリアについて参照サブフレーム構成を決定することを伴い得る。
【０１４３】
[0158]ブロック１７１５において、方法は、ブロック１７１０において決定された参照サブフレーム構成に従って、少なくとも１つのＦＤＤコンポーネントキャリア上で通信することを伴い得る。少なくとも１つのＦＤＤコンポーネントキャリア上で通信することは、参照サブフレーム構成に基づいて、ハイブリッド自動再送要求（ＨＡＲＱ）タイミングまたはスケジューリングタイミングの少なくとも１つを決定することを含み得る。いくつかの例では、ＨＡＲＱタイミングは、物理ダウンリンク共有チャネル（ＰＤＳＣＨ）送信または物理アップリンク共有チャネル（ＰＵＳＣＨ）送信と対応するＡＣＫ／ＮＡＫメッセージとの間のタイミングを指し得る。スケジューリングタイミングは、物理ダウンリンク制御チャネル（ＰＤＣＣＨ）または増強された／進化したＰＤＣＣＨ（ＥＰＤＣＣＨ）とＰＤＳＣＨまたはＰＵＳＣＨとの間のタイミングを指し得る。ブロック１７１５の動作は、様々な実施形態において、図５および／もしくは図６の受信機モジュール５１０および／もしくは５１０−ａ、図５および／もしくは図６の送信機モジュール５２０および／もしくは５２０−ａ、ならびに／または、図７および／もしくは図８の送受信機モジュール７１０および／もしくは８５０によって実行され得る。
【０１４４】
[0159]添付の図面に関して上に記載された発明を実施するための形態は例示的な実施形態を説明しており、実装され得るまたは特許請求の範囲内に入るすべての可能な実施形態を必ずしも表さない。この明細書全体にわたって使用される「例示的」という用語は、「例、事例、または例示として機能すること」を意味し、「好ましい」または「他の実施形態よりも有利である」ことを意味しない。発明を実施するための形態は、説明された技法の理解を与えるための具体的な詳細を含む。しかしながら、これらの技法は、これらの具体的な詳細を伴わずに実践され得る。場合によっては、説明された実施形態の概念を不明瞭にしないために、よく知られている構造およびデバイスがブロック図の形態で示される。
【０１４５】
[0160]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４６】
[0161]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、または本明細書で説明された機能を実行するように設計されたそれらの任意の組合せによって実装または実行され得る。汎用プロセッサはマイクロプロセッサであり得るが、代替的には、プロセッサは任意の従来のプロセッサ、コントローラ、マイクロコントローラ、またはステートマシンであり得る。プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成としても実装され得る。
【０１４７】
[0162]本明細書で説明される機能は、ハードウェア、ソフトウェア、ファームウェア、またはそれらの組合せで実装され得る。ソフトウェア／ファームウェアで実装される場合、機能は、１つもしくは複数の命令もしくはコードとしてコンピュータ可読媒体上に記憶され、またはコンピュータ可読媒体を通じて送信され得る。他の例および実装形態は、本開示および添付の特許請求の範囲の範囲および趣旨内にある。たとえば、ソフトウェア／ファームウェアの性質により、上で説明された機能は、たとえば、プロセッサ、ハードウェア、ハードワイヤリング、またはそれらの組合せによって実行されるソフトウェア／ファームウェアを使用して実装され得る。機能を実装する特徴はまた、機能の部分が、異なる物理的な場所において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１４８】
[0163]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の入手可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され汎用もしくは専用コンピュータ、もしくは汎用もしくは専用プロセッサによってアクセスされ得る、任意の他の媒体を備え得る。また、任意の接続がコンピュータ可読媒体と適切に呼ばれる。たとえば、ソフトウェア／ファームウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、一方、ディスク（disc）は、データをレーザーで光学的に再生する。上記の組合せも、コンピュータ可読媒体の範囲内に含まれる。
【０１４９】
[0164]本開示の前述の説明は、当業者が本開示を実施または使用することを可能にするために与えられる。本開示への様々な変更が当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示された原理および新規の特徴に一致する最も広い範囲を与えられるべきである。
【図１】
2016536829.tif 000004
【図２】
2016536829.tif 000005
【図３】
2016536829.tif 000006
【図４】
2016536829.tif 000007
【図５】
2016536829.tif 000008
【図６】
2016536829.tif 000009
【図７】
2016536829.tif 000010
【図８】
2016536829.tif 000011
【図９】
2016536829.tif 000012
【図１０】
2016536829.tif 000013
【図１１】
2016536829.tif 000014
【図１２】
2016536829.tif 000015
【図１３】
2016536829.tif 000016
【図１４】
2016536829.tif 000017
【図１５】
2016536829.tif 000018
【図１６】
2016536829.tif 000019
【図１７】
2016536829.tif 000020
【国際調査報告】
2016536829.tif 000021
2016536829.tif 000022
2016536829.tif 000023